(57)【要約】  フェムトＢＳ（７）に無線収容中のＭＳ（２）に対してネットワーク接続を提供するフェムトＧＷ（１２）であって、ＭＳ（２）の位置登録確認を受信すると、位置登録確認受信直前に、ＭＳ（２）がフェムトＢＳ（７）の呼出エリアを含む特定の呼出エリア内のＢＳ（３）又はフェムトＢＳ（７）に無線収容していた場合、かつ、特定の呼出エリア内に無線収容中のＭＳ（２）が存在しなくなる場合、かつ、フェムトＢＳ（７）に対してＭＳ（２）への無線送信を停止する送信停止コマンドを送信するようにした。
2009150750.tif 000002
【特許請求の範囲】
【請求項１】
呼出エリア毎に無線端末を無線収容する無線基地局の内、特定の無線基地局に無線収容中の前記無線端末に対してネットワーク接続を提供するネットワーク接続提供部と、
前記無線端末の移動又は位置登録に関わるメッセージを受信する受信部と、
前記受信部にて前記メッセージを受信すると、前記特定の無線基地局の呼出エリアを含む特定の呼出エリア内の無線基地局に無線収容中の無線端末がなくなるか否かを判定する第１端末有無判定部と、
前記第１端末有無判定部にて前記特定の呼出エリア内の無線基地局に無線収容中の前記無線端末がなくなると判定された場合、前記特定の無線基地局に対して前記無線端末への無線送信を停止する送信停止コマンドを送信するコマンド制御部と、
を有することを特徴とするゲートウェイ装置。
【請求項２】
前記受信部にて前記メッセージを受信すると、このメッセージ受信直前に、このメッセージに関わる無線端末が前記特定の呼出エリア内の無線基地局に無線収容していたか否かを判定する受信直前判定部を有し、
前記第１端末有無判定部は、
前記受信直前判定部にて前記メッセージに関わる無線端末が前記特定の呼出エリア内の無線基地局に無線収容していたと判定された場合、前記特定の呼出エリア内の無線基地局に無線収容中の無線端末がなくなるか否かを判定することを特徴とする請求項１記載のゲートウェイ装置。
【請求項３】
前記特定の無線基地局の無線送信状態が動作中であるか否かを判定する無線送信中状態判定部を有し、
前記コマンド制御部は、
前記第１端末有無判定部にて前記特定の呼出エリア内の無線基地局に無線収容中の前記無線端末がなくなると判定された場合、かつ、前記無線送信中状態判定部にて前記無線送信状態が動作中と判定された場合、前記特定の無線基地局に対して前記送信停止コマンドを送信することを特徴とする請求項２記載のゲートウェイ装置。
【請求項４】
前記特定の無線基地局に接続可能な無線端末毎に位置情報を登録管理する位置情報管理部を有し、
前記第１端末有無判定部は、
前記位置情報管理部に登録管理中の位置情報に基づき、前記特定の呼出エリア内の無線基地局に無線収容中の無線端末がなくなるか否かを判定することを特徴とする請求項１〜３の何れか一に記載のゲートウェイ装置。
【請求項５】
自己が管理する前記無線基地局に設定する前記無線端末のデータ送受信に使用するコネクションの有無を管理するコネクション管理部を有し、
前記第１端末有無判定部は、
前記コネクション管理部に管理中のコネクションの有無に基づき、前記特定の呼出エリア内の無線基地局に無線収容中の無線端末がなくなるか否かを判定することを特徴とする請求項１〜３の何れか一に記載のゲートウェイ装置。
【請求項６】
呼出エリア毎に無線端末を無線収容する無線基地局の内、特定の無線基地局に無線収容中の無線端末に対してネットワーク接続を提供するネットワーク接続提供部と、
前記無線端末の移動又は位置登録に関わるメッセージを受信する受信部と、
前記受信部にて前記メッセージを受信すると、前記特定の呼出エリア内の無線基地局に無線収容する前記無線端末があるか否かを判定する第２端末有無判定部と、
前記第２端末有無判定部にて前記特定の呼出エリア内の無線基地局に無線収容する前記無線端末があると判定された場合、前記特定の無線基地局に対して前記無線端末への無線送信を再開する送信再開コマンドを送信するコマンド制御部と、
を有することを特徴とするゲートウェイ装置。
【請求項７】
前記受信部にて前記メッセージを受信すると、このメッセージ受信直前に、このメッセージに関わる無線端末が前記特定の呼出エリア内の無線基地局に無線収容していたか否かを判定する受信直前判定部を有し、
前記第２端末有無判定部は、
前記受信直前判定部にて前記メッセージに関わる無線端末が前記特定の呼出エリア内に無線収容していなかったと判定された場合、前記特定の呼出エリア内の無線基地局に無線収容する前記無線端末があるか否かを判定することを特徴とする請求項６記載のゲートウェイ装置。
【請求項８】
前記特定の無線基地局の無線送信状態が停止中であるか否かを判定する無線送信停止中状態判定部を有し、
前記コマンド制御部は、
前記第２端末有無判定部にて前記特定の呼出エリア内の無線基地局に無線収容中の前記無線端末がなくなると判定された場合、かつ、前記無線送信停止中状態判定部にて前記無線送信状態が停止中と判定された場合、前記特定の無線基地局に対して前記送信再開コマンドを送信することを特徴とする請求項７記載のゲートウェイ装置。
【請求項９】
自己が管理する前記無線基地局に接続可能な無線端末毎に位置情報を登録管理する位置情報管理部を有し、
前記第２端末有無判定部は、
前記位置情報管理部に登録管理中の位置情報に基づき、前記特定の呼出エリア内の無線基地局に無線収容する前記無線端末があるか否かを判定することを特徴とする請求項６〜８の何れか一に記載のゲートウェイ装置。
【請求項１０】
自己が管理する前記無線基地局に設定する前記無線端末のデータ送受信に使用するコネクションの有無を管理するコネクション管理部を有し、
前記第２端末有無判定部は、
前記コネクション管理部に管理中のコネクションの有無に基づき、前記特定の呼出エリア内の無線基地局に無線収容する前記無線端末があるか否かを判定することを特徴とする請求項６〜８の何れか一に記載のゲートウェイ装置。
【請求項１１】
前記メッセージは、
前記無線端末の現在位置を前記ゲートウェイ装置に登録要求するメッセージに相当することを特徴とする請求項１〜３、６〜８の何れか一に記載のゲートウェイ装置。
【請求項１２】
前記メッセージは、
前記無線端末を無線収容する無線基地局の接続切替を前記ゲートウェイ装置に通知するメッセージに相当することを特徴とする請求項１〜３、６〜８の何れか一に記載のゲートウェイ装置。
【請求項１３】
前記特定の呼出エリアは、前記特定の無線基地局の呼出エリアの他に、前記特定の無線基地局の呼出エリアに隣接する無線基地局の呼出エリアを含むことを特徴とする請求項１〜３、６〜８の何れか一に記載のゲートウェイ装置。
【請求項１４】
呼出エリア毎に無線端末を無線収容する無線基地局の内、特定の無線基地局に無線収容中の前記無線端末に対してネットワーク接続を提供するネットワーク接続提供ステップと、
前記無線端末の移動又は位置登録に関わるメッセージを受信する受信ステップと、
前記受信ステップにて前記メッセージを受信すると、前記特定の無線基地局の呼出エリアを含む特定の呼出エリア内の無線基地局に無線収容中の無線端末がなくなるか否かを判定する第１端末有無判定ステップと、
前記第１端末有無判定ステップにて前記特定の呼出エリア内の無線基地局に無線収容中の前記無線端末がなくなると判定された場合、前記特定の無線基地局に対して前記無線端末への無線送信を停止する送信停止コマンドを送信するコマンド制御ステップと、
を含むことを特徴とする無線送信制御方法。
【請求項１５】
前記受信ステップにて前記メッセージを受信すると、このメッセージ受信直前に、このメッセージに関わる無線端末が前記特定の呼出エリア内の無線基地局に無線収容していたか否かを判定する受信直前判定ステップを含み、
前記第１端末有無判定ステップは、
前記受信直前判定ステップにて前記メッセージに関わる無線端末が前記特定の呼出エリア内の無線基地局に無線収容していたと判定された場合、前記特定の呼出エリア内の無線基地局に無線収容中の無線端末がなくなるか否かを判定することを特徴とする請求項１４記載の無線送信制御方法。
【請求項１６】
前記特定の無線基地局の無線送信状態が動作中であるか否かを判定する無線送信中状態判定ステップを含み、
前記コマンド制御ステップは、
前記第１端末有無判定ステップにて前記特定の呼出エリア内の無線基地局に無線収容中の前記無線端末がなくなると判定された場合、かつ、前記無線送信中状態判定ステップにて前記無線送信状態が動作中と判定された場合、前記特定の無線基地局に対して前記送信停止コマンドを送信することを特徴とする請求項１５記載の無線送信制御方法。
【請求項１７】
前記特定の無線基地局に接続可能な無線端末毎に位置情報を登録管理する位置情報管理ステップを含み、
前記第１端末有無判定ステップは、
前記位置情報管理ステップにて登録管理中の位置情報に基づき、前記特定の呼出エリア内の無線基地局に無線収容中の無線端末がなくなるか否かを判定することを特徴とする請求項１４〜１６の何れか一に記載の無線送信制御方法。
【請求項１８】
自己が管理する前記無線基地局に設定する前記無線端末のデータ送受信に使用するコネクションの有無を管理するコネクション管理ステップを含み、
前記第１端末有無判定ステップは、
前記コネクション管理ステップにて管理中のコネクションの有無に基づき、前記特定の呼出エリア内の無線基地局に無線収容中の無線端末がなくなるか否かを判定することを特徴とする請求項１４〜１６の何れか一に記載の無線送信制御方法。
【請求項１９】
呼出エリア毎に無線端末を無線収容する無線基地局の内、特定の無線基地局に無線収容中の無線端末に対してネットワーク接続を提供するネットワーク接続提供ステップと、
前記無線端末の移動又は位置登録に関わるメッセージを受信する受信ステップと、
前記受信ステップにて前記メッセージを受信すると、前記特定の呼出エリア内の無線基地局に無線収容する前記無線端末があるか否かを判定する第２端末有無判定ステップと、
前記第２端末有無判定ステップにて前記特定の呼出エリア内の無線基地局に無線収容する前記無線端末があると判定された場合、前記特定の無線基地局に対して前記無線端末への無線送信を再開する送信再開コマンドを送信するコマンド制御ステップと、
を含むことを特徴とする無線送信制御方法。
【請求項２０】
前記受信ステップにて前記メッセージを受信すると、このメッセージ受信直前に、このメッセージに関わる無線端末が前記特定の呼出エリア内の無線基地局に無線収容していたか否かを判定する受信直前判定ステップを含み、
前記第２端末有無判定ステップは、
前記受信直前判定ステップにて前記メッセージに関わる無線端末が前記特定の呼出エリア内に無線収容していなかったと判定された場合、前記特定の呼出エリア内の無線基地局に無線収容する前記無線端末があるか否かを判定することを特徴とする請求項１９記載の無線送信制御方法。
【請求項２１】
前記特定の無線基地局の無線送信状態が停止中であるか否かを判定する無線送信停止中状態判定ステップを含み、
前記コマンド制御ステップは、
前記第２端末有無判定ステップにて前記特定の呼出エリア内の無線基地局に無線収容中の前記無線端末がなくなると判定された場合、かつ、前記無線送信停止中状態判定ステップにて前記無線送信状態が停止中と判定された場合、前記特定の無線基地局に対して前記送信再開コマンドを送信することを特徴とする請求項２０記載の無線送信制御方法。
【請求項２２】
自己が管理する前記無線基地局に接続可能な無線端末毎に位置情報を登録管理する位置情報管理ステップを含み、
前記第２端末有無判定ステップは、
前記位置情報管理ステップにて登録管理中の位置情報に基づき、前記特定の呼出エリア内の無線基地局に無線収容する前記無線端末があるか否かを判定することを特徴とする請求項１９〜２１の何れか一に記載の無線送信制御方法。
【請求項２３】
自己が管理する前記無線基地局に設定する前記無線端末のデータ送受信に使用するコネクションの有無を管理するコネクション管理ステップを有し、
前記第２端末有無判定ステップは、
前記コネクション管理ステップにて管理中のコネクションの有無に基づき、前記特定の呼出エリア内の無線基地局に無線収容する前記無線端末があるか否かを判定することを特徴とする請求項１９〜２１の何れか一に記載の無線送信制御方法。
【請求項２４】
前記メッセージは、
前記無線端末の現在位置を登録要求するメッセージに相当することを特徴とする請求項１４〜１６、１９〜２１の何れか一に記載の無線送信制御方法。
【請求項２５】
前記メッセージは、
前記無線端末を無線収容する無線基地局の接続切替を通知するメッセージに相当することを特徴とする請求項１４〜１６、１９〜２１の何れか一に記載の無線送信制御方法。
【請求項２６】
前記特定の呼出エリアは、前記特定の無線基地局の呼出エリアの他に、前記特定の無線基地局の呼出エリアに隣接する無線基地局の呼出エリアを含むことを特徴とする請求項１４〜１６、１９〜２１の何れか一に記載の無線送信制御方法。
【請求項２７】
呼出エリア毎に無線端末を無線収容する無線基地局と、前記無線基地局の内、特定の無線基地局に無線収容中の前記無線端末に対してネットワーク接続を提供するゲートウェイ装置とを有する無線通信システムであって、
前記ゲートウェイ装置は、
前記無線端末の移動又は位置登録に関わるメッセージを受信する受信部と、
前記受信部にて前記メッセージを受信すると、前記特定の無線基地局の呼出エリアを含む特定の呼出エリア内の無線基地局に無線収容中の無線端末がなくなるか否かを判定する第１端末有無判定部と、
前記第１端末有無判定部にて前記特定の呼出エリア内の無線基地局に無線収容中の前記無線端末がなくなると判定された場合、前記特定の無線基地局に対して前記無線端末への無線送信を停止する送信停止コマンドを送信するコマンド制御部とを有し、
前記特定の無線基地局は、
前記送信停止コマンドを受信すると、前記無線端末への無線送信を停止することを特徴とする無線通信システム。
【請求項２８】
前記ゲートウェイ装置は、
前記受信部にて前記メッセージを受信すると、このメッセージ受信直前に、このメッセージに関わる無線端末が前記特定の呼出エリア内の無線基地局に無線収容していたか否かを判定する受信直前判定部を有し、
前記第１端末有無判定部は、
前記受信直前判定部にて前記メッセージに関わる無線端末が前記特定の呼出エリア内の無線基地局に無線収容していたと判定された場合、前記特定の呼出エリア内の無線基地局に無線収容中の無線端末がなくなるか否かを判定することを特徴とする請求項２７記載の無線通信システム。
【請求項２９】
前記ゲートウェイ装置は、
前記特定の無線基地局の無線送信状態が動作中であるか否かを判定する無線送信中状態判定部を有し、
前記コマンド制御部は、
前記第１端末有無判定部にて前記特定の呼出エリア内の無線基地局に無線収容中の前記無線端末がなくなると判定された場合、かつ、前記無線送信中状態判定部にて前記無線送信状態が動作中と判定された場合、前記特定の無線基地局に対して前記送信停止コマンドを送信することを特徴とする請求項２８記載の無線通信システム。
【請求項３０】
呼出エリア毎に無線端末を無線収容する無線基地局と、前記無線基地局の内、特定の無線基地局に無線収容中の無線端末に対してネットワーク接続を提供するゲートウェイ装置とを有する無線通信システムであって、
前記ゲートウェイ装置は、
前記無線端末の移動又は位置登録に関わるメッセージを受信する受信部と、
前記受信部にて前記メッセージを受信すると、前記特定の呼出エリア内の無線基地局に無線収容する前記無線端末があるか否かを判定する第２端末有無判定部と、
前記第２端末有無判定部にて前記特定の呼出エリア内の無線基地局に無線収容する前記無線端末があると判定された場合、前記特定の無線基地局に対して前記無線端末への無線送信を再開する送信再開コマンドを送信するコマンド制御部とを有し、
前記特定の無線基地局は、
前記送信再開コマンドを受信すると、前記無線端末への無線送信を再開することを特徴とする無線通信システム。
【請求項３１】
前記ゲートウェイ装置は、
前記受信部にて前記メッセージを受信すると、このメッセージ受信直前に、このメッセージに関わる無線端末が前記特定の呼出エリア内の無線基地局に無線収容していたか否かを判定する受信直前判定部を有し、
前記第２端末有無判定部は、
前記受信直前判定部にて前記メッセージに関わる無線端末が前記特定の呼出エリア内に無線収容していなかったと判定された場合、前記特定の呼出エリア内の無線基地局に無線収容する前記無線端末があるか否かを判定することを特徴とする請求項３０記載の無線通信システム。
【請求項３２】
前記ゲートウェイ装置は、
前記特定の無線基地局の無線送信状態が停止中であるか否かを判定する無線送信停止中状態判定部を有し、
前記コマンド制御部は、
前記第２端末有無判定部にて前記特定の呼出エリア内の無線基地局に無線収容中の前記無線端末がなくなると判定された場合、かつ、前記無線送信停止中状態判定部にて前記無線送信状態が停止中と判定された場合、前記特定の無線基地局に対して前記送信再開コマンドを送信することを特徴とする請求項３１記載の無線通信システム。
【発明の詳細な説明】
【技術分野】
【０００１】
本発明は、無線端末（Ｍｏｂｉｌｅ  Ｓｕｂｓｃｒｉｂｅｒ：以下、単にＭＳと称する）を無線収容する無線基地局（Ｂａｓｅ  Ｓｔａｔｉｏｎ：以下、単にＢＳと称する）を用いたゲートウェイ装置、無線送信制御方法及び無線通信システムに関する。無線基地局の適用例として、超小型無線基地局（Ｆｅｍｔｏ  Ｂａｓｅ  Ｓｔａｔｉｏｎ：以下、単にフェムトＢＳと称する）を挙げることができる。
【背景技術】
【０００２】
近年、ＩＥＥＥ８０２．１６ワーキンググループでは、ＢＳに複数のＭＳが接続可能なＰｏｉｎｔ−ｔｏ−Ｍｕｌｔｉｐｏｉｎｔ  (以下、単にＰ−ＭＰと称する)型の通信方式を規定している。【０００３】
また、ＩＥＥＥ８０２．１６ワーキンググループでは、主に固定通信用途向けの８０２．１６ｄ仕様(８０２．１６−２００４)と、移動通信用途向けの８０２．１６ｅ仕様(８０２．１６ｅ−２００５)との２種類の用途を規定している。【０００４】
このようなＩＥＥＥ８０２．１６ｄ／ｅを採用した無線通信システムでは、直交周波数分割多重方式（ＯＦＤＭ：Ｏｒｔｈｏｇｏｎａｌ  Ｆｒｅｑｕｅｎｃｙ  Ｄｉｖｉｓｉｏｎ  ｍｕｌｔｉｐｌｅｘ）や、直交周波数分割多元接続方式（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）等の技術を主に採用している。【０００５】
図３０は、ＩＥＥＥ８０２．１６ｄ／ｅを採用した無線通信システム内部の概略構成を示すブロック図である。【０００６】
図３０に示す無線通信システム１００は、インターネット１０１と、複数のＭＳ１０２を無線収容する複数のＢＳ１０３を収容接続するアクセス・サービス・ネットワーク（Ａｃｃｅｓｓ  Ｓｅｒｖｉｃｅ  Ｎｅｔｗｏｒｋ：以下、単にＡＳＮと称する）１０４と、インターネット１０１及びＡＳＮ１０４間を通信接続する接続サービスネットワーク（Ｃｏｎｎｅｃｔｉｖｉｔｙ  Ｓｅｒｖｉｃｅ  Ｎｅｔｗｏｒｋ：以下、単にＣＳＮと称する）１０５とを有している。【０００７】
また、ＡＳＮ１０４は、複数のＢＳ１０３の他に、ＣＳＮ１０５及びＡＳＮ１０４間の通信インタフェースを司るＡＳＮゲートウェイ（以下、単にＡＳＮ−ＧＷと称する）１０６を配置し、レイヤ２でパケットを転送している。また、ＣＳＮ１０５は、レイヤ３でパケットのルーティングや転送を行っている。【０００８】
近年では、ＢＳ１０３を小型化したフェムトＢＳの開発が進み、フェムトＢＳを電波環境の良くない一般家庭やオフィス等に配置し、インターネットサービスプロバイダ（Ｉｎｔｅｒｎｅｔ  Ｓｅｒｖｉｃｅ  Ｐｒｏｖｉｄｅｒ：以下、単にＩＳＰと称する)を通じてインターネット１０１経由でＡＳＮ１０４に通信接続する技術が考案されている。【０００９】
図３１は、フェムトＢＳを使用した無線通信システム内部の概略構成を示すブロック図である。尚、図３０に示す無線通信システム１００と同一の構成については同一符号を付すことで、その重複する構成及び動作の説明については省略する。【００１０】
図３１に示す無線通信システム１００Ａは、例えば一般家庭やオフィス等に配置し、ＭＳ１０２を無線収容するフェムトＢＳ１０７を備えている。【００１１】
フェムトＢＳ１０７は、非対称デジタル加入者線（Ａｓｙｍｍｅｔｒｉｃ  Ｄｉｇｉｔａｌ  Ｓｕｂｓｃｒｉｂｅｒ  Ｌｉｎｅ：以下、単にＡＤＳＬ回線と称する）や光ファイバ回線を通じてＩＳＰ１０８に接続し、ＩＳＰ１０８から直接又はインターネット１０１経由でＡＳＮ１０４に通信接続するものである。【００１２】
また、ＡＳＮ１０４は、ＩＳＰ１０８やインターネット１０１経由でフェムトＢＳ１０７との通信インタフェースを司るフェムトＧＷ１０９を配置している。【００１３】
フェムトＧＷ１０９は、ＩＰセキュリティ（ＩＰ  Ｓｅｃｕｒｉｔｙ：以下、単にＩＰｓｅｃと称する）等を使用してフェムトＢＳ１０７とのデータの盗聴や改ざんを防止する暗号化通信を実現し、ＡＳＮ１０４のセキュリティを確保している。【００１４】
【非特許文献１】ＩＥＥＥ  Ｓｔｄ  ８０２．１６TM−２００４
【非特許文献２】ＩＥＥＥ  Ｓｔｄ  ８０２．１６ｅTM−２００５
【発明の開示】
【発明が解決しようとする課題】
【００１５】
従来の無線通信システム１００Ａでは、例えばフェムトＢＳ１０７を一般家庭等の限定した場所に配置した場合、フェムトＢＳ１０７に無線収容するＭＳ１０２は、フェムトＢＳ１０７を配置した一般家庭の家族や訪問者等の特定ユーザのＭＳ１０２に限定されることになる。【００１６】
しかしながら、従来の無線通信システム１００Ａによれば、例えばＭＳ１０２を使用するユーザが不在、すなわちＭＳ１０２がフェムトＢＳ１０７の呼出エリア内にいないにも関わらず、ＭＳ１０２に対するフェムトＢＳ１０７の無線送信を継続することになるため、その無線送信出力は、無駄な送信電力の浪費や、隣接セルに対する不必要な電波干渉の要因に繋がる場合がある。【００１７】
本発明は上記点に鑑みてなされたものであり、その目的の一側面は、無駄な送信電力の浪費又は隣接セルへの与干渉を回避することにある。
【課題を解決するための手段】
【００１８】
開示装置は、呼出エリア毎に無線端末を無線収容する無線基地局の内、特定の無線基地局に無線収容中の前記無線端末に対してネットワーク接続を提供するネットワーク接続提供部と、前記無線端末の移動又は位置登録に関わるメッセージを受信する受信部と、前記受信部にて前記メッセージを受信すると、前記特定の無線基地局の呼出エリアを含む特定の呼出エリア内の無線基地局に無線収容中の無線端末がなくなるか否かを判定する第１端末有無判定部と、前記第１端末有無判定部にて前記特定の呼出エリア内の無線基地局に無線収容中の前記無線端末がなくなると判定された場合、前記特定の無線基地局に対して前記無線端末への無線送信を停止する送信停止コマンドを送信するコマンド制御部とを有している。【００１９】
開示装置は、呼出エリア毎に無線端末を無線収容する無線基地局の内、特定の無線基地局に無線収容中の無線端末に対してネットワーク接続を提供するネットワーク接続提供部と、前記無線端末の移動又は位置登録に関わるメッセージを受信する受信部と、前記受信部にて前記メッセージを受信すると、前記特定の呼出エリア内の無線基地局に無線収容する前記無線端末があるか否かを判定する第２端末有無判定部と、前記第２端末有無判定部にて前記特定の呼出エリア内の無線基地局に無線収容する前記無線端末があると判定された場合、前記特定の無線基地局に対して前記無線端末への無線送信を再開する送信再開コマンドを送信するコマンド制御部とを有している。【００２０】
開示方法は、呼出エリア毎に無線端末を無線収容する無線基地局の内、特定の無線基地局に無線収容中の前記無線端末に対してネットワーク接続を提供するネットワーク接続提供ステップと、前記無線端末の移動又は位置登録に関わるメッセージを受信する受信ステップと、前記受信ステップにて前記メッセージを受信すると、前記特定の無線基地局の呼出エリアを含む特定の呼出エリア内の無線基地局に無線収容中の無線端末がなくなるか否かを判定する第１端末有無判定ステップと、前記第１端末有無判定ステップにて前記特定の呼出エリア内の無線基地局に無線収容中の前記無線端末がなくなると判定された場合、前記特定の無線基地局に対して前記無線端末への無線送信を停止する送信停止コマンドを送信するコマンド制御ステップとを含むようにした。【００２１】
開示方法は、呼出エリア毎に無線端末を無線収容する無線基地局の内、特定の無線基地局に無線収容中の無線端末に対してネットワーク接続を提供するネットワーク接続提供ステップと、前記無線端末の移動又は位置登録に関わるメッセージを受信する受信ステップと、前記受信ステップにて前記メッセージを受信すると、前記特定の呼出エリア内の無線基地局に無線収容する前記無線端末があるか否かを判定する第２端末有無判定ステップと、前記第２端末有無判定ステップにて前記特定の呼出エリア内の無線基地局に無線収容する前記無線端末があると判定された場合、前記特定の無線基地局に対して前記無線端末への無線送信を再開する送信再開コマンドを送信するコマンド制御ステップとを含むようにした。【００２２】
開示システムは、呼出エリア毎に無線端末を無線収容する無線基地局と、前記無線基地局の内、特定の無線基地局に無線収容中の前記無線端末に対してネットワーク接続を提供するゲートウェイ装置とを有する無線通信システムであって、前記ゲートウェイ装置は、前記無線端末の移動又は位置登録に関わるメッセージを受信する受信部と、前記受信部にて前記メッセージを受信すると、前記特定の無線基地局の呼出エリアを含む特定の呼出エリア内の無線基地局に無線収容中の無線端末がなくなるか否かを判定する第１端末有無判定部と、前記第１端末有無判定部にて前記特定の呼出エリア内の無線基地局に無線収容中の前記無線端末がなくなると判定された場合、前記特定の無線基地局に対して前記無線端末への無線送信を停止する送信停止コマンドを送信するコマンド制御部とを有し、前記特定の無線基地局は、前記送信停止コマンドを受信すると、前記無線端末への無線送信を停止するようにした。【００２３】
開示システムは、呼出エリア毎に無線端末を無線収容する無線基地局と、前記無線基地局の内、特定の無線基地局に無線収容中の無線端末に対してネットワーク接続を提供するゲートウェイ装置とを有する無線通信システムであって、前記ゲートウェイ装置は、前記無線端末の移動又は位置登録に関わるメッセージを受信する受信部と、前記受信部にて前記メッセージを受信すると、前記特定の呼出エリア内の無線基地局に無線収容する前記無線端末があるか否かを判定する第２端末有無判定部と、前記第２端末有無判定部にて前記特定の呼出エリア内の無線基地局に無線収容する前記無線端末があると判定された場合、前記特定の無線基地局に対して前記無線端末への無線送信を再開する送信再開コマンドを送信するコマンド制御部とを有し、前記特定の無線基地局は、前記送信再開コマンドを受信すると、前記無線端末への無線送信を再開するようにした。
【発明の効果】
【００２４】
開示装置、開示方法及び開示システムによれば、特定の無線基地局に無線収容する無線端末の有無に基づき、特定の無線基地局の無線送信状態を管理制御することで、特定の無線基地局の無駄な送信電力の浪費又は隣接セルへの与干渉を回避できるという効果を奏する。
【図面の簡単な説明】
【００２５】
【図１】図１は、本実施例の無線通信システム内部の概略構成を示すブロック図である。
【図２】図２は、フェムトＢＳ内部の概略構成を示すブロック図である。
【図３】図３は、フェムトＧＷ内部の概略構成を示すブロック図である。
【図４】図４は、フェムトＧＷ内部の近傍ＢＳリスト管理テーブルのテーブル内容を端的に示す説明図である。
【図５】図５は、フェムトＧＷ内部の位置登録データベースで管理する情報のデータ構成を端的に示す説明図である。
【図６】図６は、フェムトＢＳ初期設定に関わる無線通信システム内部の処理動作を示すシーケンスである。
【図７】図７は、アイドルモード中のＭＳによるフェムトＢＳから他のＢＳへの呼出グループ間移動に伴う無線通信システム内部の処理動作を示すシーケンスである。
【図８】図８は、アイドルモード中のＭＳによるＢＳからフェムトＢＳ近傍のＢＳへの呼出グループ間移動に伴う無線通信システム内部の処理動作を示すシーケンスである。
【図９】図９は、レンジング要求受信処理に関わるＢＳ（フェムトＢＳ）内部の処理動作を示すフローチャートである。
【図１０】図１０は、アクセスリスト追加処理に関わるフェムトＢＳ内部の処理動作を示すフローチャートである。
【図１１】図１１は、離脱要求受信処理に関わるフェムトＢＳ内部の処理動作を示すフローチャートである。
【図１２】図１２は、呼出通知送信処理に関わるフェムトＢＳ内部の処理動作を示すフローチャートである。
【図１３】図１３は、位置登録用レンジング要求受信処理に関わるフェムトＢＳ内部の処理動作を示すフローチャートである。
【図１４】図１４は、送信停止処理に関わるフェムトＧＷ内部の処理動作を示すフローチャートである。
【図１５】図１５は、送信停止コマンド受信処理に関わるフェムトＢＳ内部の処理動作を示すフローチャートである。
【図１６】図１６は、送信制御処理に関わるフェムトＧＷ内部の処理動作を示すフローチャートである。
【図１７】図１７は、送信再開コマンド受信処理に関わるフェムトＢＳ内部の処理動作を示すフローチャートである。
【図１８】図１８は、実施例２のフェムトＧＷ内部の概略構成を示すブロック図である。
【図１９】図１９は、実施例２のＡＳＮ−ＧＷ内部の概略構成を示すブロック図である。
【図２０】図２０は、フェムトＢＳに対してＭＳが新規接続を開始する際の無線通信システム内部の処理動作を示すシーケンスである。
【図２１】図２１は、フェムトＢＳから他のＢＳへの呼出グループ間移動に伴うハンドオーバー後、アイドルモード移行に伴う無線通信システム内部の処理動作を示すシーケンスである。
【図２２】図２２は、他のＢＳからフェムトＢＳ近傍のＢＳへの呼出グループ間移動に伴う無線通信システム内部の処理動作を示すシーケンスである。
【図２３】図２３は、アイドル移行要求受信処理に関わるＡＳＮ−ＧＷ内部の処理動作を示すフローチャートである。
【図２４】図２４は、位置情報受信に応じた送信停止処理に関わるフェムトＧＷ内部の処理動作を示すフローチャートである。
【図２５】図２５は、位置登録要求受信処理に関わるＡＳＮ−ＧＷ内部の処理動作を示すフローチャートである。
【図２６】図２６は、位置情報受信に応じた送信制御処理に関わるフェムトＧＷ内部の処理動作を示すフローチャートである。
【図２７】図２７は、フェムトＢＳから他のＢＳへのハンドオーバーに伴う無線通信システム内部の処理動作を示すシーケンスである。
【図２８】図２８は、他のＢＳからフェムトＢＳへのハンドオーバーに伴う無線通信システム内部の処理動作を示すシーケンスである。
【図２９】図２９は、ハンドオーバー（ＨＯ）確認通知受信に応じた送信制御処理に関わるフェムトＧＷ内部の処理動作を示すフローチャートである。
【図３０】図３０は、ＩＥＥＥ８０２．１６ｄ／ｅを採用した無線通信システム内部の概略構成を示すブロック図である。
【図３１】図３１は、フェムトＢＳを使用した無線通信システム内部の概略構成を示すブロック図である。
【符号の説明】
【００２６】
１，１Ａ，１Ｂ  無線通信システム
２  ＭＳ
３  ＢＳ
５  インターネット
７  フェムトＢＳ
８  ＩＳＰ
１１，１１Ａ  ＡＳＮ−ＧＷ
１２，１２Ａ  フェムトＧＷ
１３  ＡＡＡサーバ
５２，５２Ａ  ＰＣ部
５３  移動前判定部
５４  第１接続有無判定部
５５  アクティブ状態判定部
５６  コマンド制御部
５７  第２接続有無判定部
５８  アイドル状態判定部
６１  近傍ＢＳリスト管理テーブル
６２  位置登録データベース
６３  フェムトＢＳ管理テーブル  
【発明を実施するための最良の形態】
【００２７】
以下、図面に基づき本発明のゲートウェイ装置、無線送信制御方法及び無線通信システムに関わる実施例について詳細に説明する。【００２８】
本実施例は、呼出エリア毎にＭＳを無線収容するＢＳと、ＢＳの内、フェムトＢＳに無線収容中のＭＳに対してネットワーク接続を提供するフェムトＧＷとを有する無線通信システムである。【００２９】
フェムトＧＷは、ＭＳの移動又は位置登録に関わるメッセージを受信すると、フェムトＢＳの呼出エリアを含む特定の呼出エリア内のＢＳに無線収容中のＭＳがなくなると判定された場合、前記フェムトＢＳに対してＭＳへの無線送信を停止する送信停止コマンドを送信する。【００３０】
その結果、フェムトＢＳは、送信停止コマンドを受信すると、ＭＳへの無線送信を停止するようにしたので、フェムトＢＳの無駄な送信電力の浪費又は隣接セルへの与干渉を回避できる。【００３１】
また、フェムトＧＷは、ＭＳの移動又は位置登録に関わるメッセージを受信すると、特定の呼出エリア内のＢＳに無線収容するＭＳがあると判定された場合、フェムトＢＳに対してＭＳへの無線送信を再開する送信再開コマンドを送信する。【００３２】
その結果、フェムトＢＳは、送信再開コマンドを受信すると、ＭＳへの無線送信を再開するようにしたので、停止中の無線送信を再開することができる。
【実施例１】
【００３３】
図１は、本実施例の無線通信システム内部の概略構成を示すブロック図である。【００３４】
図１に示す無線通信システム１は、複数のＭＳ２を無線収容する複数のＢＳ３等を収容接続するＡＳＮ４と、インターネット５と、ＡＳＮ４及びインターネット５間を接続するＣＳＮ６と、例えば一般家庭やオフィス内に配置し、複数のＭＳ２を無線収容するフェムトＢＳ７と、フェムトＢＳ７と接続し、光ファイバ回線やＡＤＳＬ回線等を通じて、インターネット５と接続するＩＳＰ８とを有している。【００３５】
ＭＳ２は、例えば無線機能を備えたパソコン、モバイル端末や携帯電話端末等に相当するものである。【００３６】
各ＢＳ３は、ＢＳ３毎に無線収容可能な呼出エリアを備え、各ＢＳ３は、呼出エリア内に存在するＭＳ２を無線収容するものである。また、各フェムトＢＳ７も、同様にフェムトＢＳ７毎に無線収容可能な呼出エリアを備え、各フェムトＢＳ７は、呼出エリア内に存在する接続可能なＭＳ２を無線収容するものである。【００３７】
尚、無線通信システム１内のＢＳ３及びフェムトＢＳ７は、例えば＃１や＃２等の呼出グループ単位で管理し、無線通信システム１は、呼出グループを識別する呼出グループＩＤ（以下、単にＰＧＩＤと称する）と、呼出グループに所属するＢＳ３やフェムトＢＳ７を識別するＢＳＩＤとを管理している。【００３８】
また、ＡＳＮ４内には、複数のＢＳ３と、ＢＳ３及びＣＳＮ６間の通信インタフェースを司るＡＳＮ−ＧＷ１１と、ＩＳＰ８経由でフェムトＢＳ７及びＡＳＮ４間の通信インタフェースを司るフェムトＧＷ１２と、認証・許可・アカウント（Ａｕｔｈｅｎｔｉｃａｔｉｏｎ，Ａｕｔｈｏｒｉｚａｔｉｏｎ  ａｎｄ  Ａｃｃｏｕｎｔｉｎｇ：以下、単にＡＡＡと称する）サーバ１３とを有している。【００３９】
図２は、フェムトＢＳ７内部の概略構成を示すブロック図である。【００４０】
図２に示すフェムトＢＳ７は、無線信号を送受信するアンテナ部２１と、送受信系でアンテナ部２１を共用可能にするデュプレクサ２２と、相手先からの無線信号を受信及び復調して誤り訂正符号を復号化する無線信号受信部２３と、相手先に送信するデータに誤り訂正符号化の符号化処理を施して変調し、アンテナ部２１経由で無線信号を送信する無線信号送信部２４と、無線信号受信部２３及び無線信号送信部２４を制御する無線送受信制御部２５とを有している。【００４１】
さらに、フェムトＢＳ７は、ＩＳＰ８とのインタフェースを司る通信インタフェース２６と、ＩＰパケットを暗号化又は復号化するフェムトＢＳ側暗号／復号処理部２７と、様々な情報を記憶するフェムトＢＳ側記憶部２８と、フェムトＢＳ７全体を制御するフェムトＢＳ側制御部２９とを有している。尚、通信インタフェース２６は、ＩＳＰ８を経由することなく、フェムトＧＷ１２と直接接続することも可能である。【００４２】
フェムトＢＳ側記憶部２８は、自己の状態（アクティブ状態／アイドル状態）を管理する状態管理部３１と、自己に接続可能なＭＳ２を管理するアクセスリスト３３とを有している。尚、フェムトＢＳ７のアイドル状態とは、無線収容中のＭＳ２に対する制御情報等の無線送信を停止している停止中状態、また、アクティブ状態は、無線収容中のＭＳ２に対する制御情報等の無線送信の停止を解除している作動中状態に相当するものである。【００４３】
また、フェムトＢＳ側制御部２９は、無線リンクプロトコル及びネットワーク側プロトコルを通じて中継及び終端し、ＭＳ２の認証やデータ通信を可能にするものである。【００４４】
図３は、フェムトＧＷ１２内部の概略構成を示すブロック図である。【００４５】
図３に示すフェムトＧＷ１２は、例えばＩＳＰ８又はインターネット５経由でフェムトＢＳ７とのインタフェースを司る第１通信インタフェース４１と、例えばＡＳＮ−ＧＷ１１やＢＳ３等のＡＳＮ４内の内部装置とのインタフェースを司る第２通信インタフェース４２とを有している。【００４６】
また、フェムトＧＷ１２は、第１通信インタフェース４１経由でフェムトＢＳ７とパケット交換するＩＰパケットを暗号化又は復号化するフェムトＧＷ側暗号／復号処理部４３と、様々な情報を記憶するフェムトＧＷ側記憶部４４と、フェムトＧＷ１２全体を制御するフェムトＧＷ側制御部４５とを有している。【００４７】
フェムトＧＷ側制御部４５は、ＢＳ３、フェムトＢＳ７やＭＳ２の認証を実行するＡＡＡサーバ１３と通信すると共に、フェムトＢＳ７との間にデータ転送用パスを設定する認証（Ａｕｔｈｅｎｔｉｃａｔｏｒ）部５１と、各ＭＳ２に対して呼出制御する呼出コントローラ（以下、単にＰＣと称する）部５２とを有している。【００４８】
認証部５１は、フェムトＢＳ７の初期設定時に、必要に応じてＡＡＡサーバ１３と通信接続し、フェムトＢＳ７の認証を実行するものである。尚、フェムトＢＳ７は、ＡＡＡサーバ１３に対して電子証明書を予め取得しておき、認証部５１は、ＡＡＡサーバ１３を通じて電子証明書を使用してフェムトＢＳ７を認証し、この認証結果を得るものである。【００４９】
また、認証部５１は、フェムトＢＳ７に対してＭＳ２を新規接続する際、ＡＡＡサーバ１３と通信接続し、ＡＡＡサーバ１３を通じて、フェムトＢＳ７からのＥＡＰメッセージに含まれるＭＳ２の識別情報及びＢＳＩＤに基づき、ＭＳ２とフェムトＢＳ７との接続を許可しているか否かを確認する接続認証結果を取得するものである。【００５０】
また、ＡＡＡサーバ１３は、フェムトＢＳ７新規設置契約時の情報に基づき、フェムトＢＳ７との接続を許可したＭＳ２のリストを管理しているため、その管理内容と、フェムトＢＳ７からのＥＡＰメッセージに含まれるＭＳ２の識別情報及びＢＳＩＤとに基づき、ＭＳ２とフェムトＢＳ７との接続を許可しているか否かを確認するものである。【００５１】
尚、フェムトＢＳ７は、フェムトＢＳ７の新規接続時に、フェムトＢＳ７との接続を許可するＭＳ２のリストをＡＡＡサーバ１３から設定情報として取得することも可能である。【００５２】
また、フェムトＧＷ側記憶部４４は、フェムトＢＳ７毎に隣接するＢＳ３、例えば同一ＰＧＩＤに属するＢＳ３を近傍ＢＳとして管理する近傍ＢＳリスト管理テーブル６１と、フェムトＧＷ１２で管理するＭＳ２の位置情報を管理する位置登録データベース６２と、自己が管理するフェムトＢＳ７の状態情報（アクティブ状態／アイドル状態）を管理するフェムトＢＳ管理テーブル６３とを有している。【００５３】
また、フェムトＧＷ側制御部４５は、近傍ＢＳリスト管理テーブル６１、位置登録データベース６２及びフェムトＢＳ管理テーブル６３の内容に基づき、後述するフェムトＢＳ送信制御判定処理を実行するものである。【００５４】
フェムトＧＷ側制御部４５は、ＭＳ２からの移動又は位置登録のメッセージ、例えば位置登録確認を受信すると、近傍ＢＳリスト管理テーブル６１及び位置登録データベース６２に基づき、位置登録更新のＭＳ２が移動先ＢＳ配下に移動する前にフェムトＢＳ７又はフェムトＢＳ７近傍のＢＳ３配下に存在していたとする第１条件を満たしているか否かを判定する移動前判定部５３を有している。【００５５】
フェムトＧＷ側制御部４５は、移動前判定部５３にて第１条件を満たした場合、フェムトＢＳ７に接続可能な全ＭＳ２がフェムトＢＳ７及び、フェムトＢＳ７と同一のＰＧＩＤに属するＢＳ３から離れている第２条件を満たしているか否かを判定する第１接続有無判定部５４を有している。【００５６】
フェムトＧＷ側制御部４５は、第１接続有無判定部５４にて第２条件を満たした場合、フェムトＢＳ７の状態がアクティブ状態である第３条件を満たしたか否かを判定するアクティブ状態判定部５５を有している。【００５７】
フェムトＧＷ側制御部４５は、アクティブ状態判定部５５にて第３条件を満たした場合、第１条件、第２条件及び第３条件を満たしたものと判断し、フェムトＢＳ７のＭＳ２に対する無線送信を停止すべく、送信停止コマンド（Ｄｏｒｍａｎｔ  Ｃｏｍｍａｎｄ）をフェムトＢＳ７に送信するコマンド制御部５６を有している。【００５８】
また、フェムトＧＷ側制御部４５は、移動前判定部５３にて第１条件を満たさなかった場合、位置登録更新のＭＳ２が移動先ＢＳ３配下に移動する前にフェムトＢＳ７又はフェムトＢＳ７近傍のＢＳ３配下に存在しなかったとする第４条件を満たしているものと判断し、フェムトＢＳ７に接続可能なＭＳ２がフェムトＢＳ７又はフェムトＢＳ７と同一ＰＧＩＤに属するＢＳ３に存在する第５条件を満たしているか否かを判定する第２接続有無判定部５７を有している。【００５９】
フェムトＧＷ側制御部４５は、第２接続有無判定部５７にて第５条件を満たした場合、フェムトＢＳ７の状態がアイドル状態である第６条件を満たしているか否かを判定するアイドル状態判定部５８を有している。【００６０】
コマンド制御部５６は、アイドル状態判定部５８にて第６条件を満たした場合、第４条件、第５条件及び第６条件を満たしたものと判断し、フェムトＢＳ７のＭＳ２に対する停止中の無線送信を再開すべく、送信再開コマンド（Ｗａｋｅ−ｕｐ  Ｃｏｍｍａｎｄ）をフェムトＢＳ７に送信するものである。【００６１】
図４は、フェムトＧＷ１２内部の近傍ＢＳリスト管理テーブル６１のテーブル内容を端的に示す説明図である。【００６２】
フェムトＧＷ１２は、フェムトＢＳ７毎に隣接するＢＳ３、例えば同一ＰＧＩＤに属するＢＳ３を近傍ＢＳとして近傍ＢＳリスト管理テーブル６１に管理している。尚、近傍ＢＳリスト管理テーブル６１の設定情報は、フェムトＢＳ７新規設置契約時に申請した設置場所に隣接するＢＳ３のリストをセル設計情報から生成するものである。【００６３】
また、近傍ＢＳリスト管理テーブル６１の設定情報は、ＭＳ２の移動に応じて動的に設定することもできる。すなわち、ＭＳ２がフェムトＢＳ７から移動先のＢＳ３へハンドオーバーする際、又はＭＳ２がフェムトＢＳ７から移動先ＢＳ３へ移動して位置登録する際、移動先のＢＳ３をフェムトＢＳ７の近傍ＢＳとして近傍ＢＳリスト管理テーブル６１に加えるようにしても良い。【００６４】
また、フェムトＢＳ７自体が、周辺ＢＳ３の無線信号を受信し、無線信号に基づき、フェムトＢＳ７の周辺ＢＳ３を近傍ＢＳとして近傍ＢＳリスト管理テーブル６１に加えるようにしても良い。【００６５】
図５は、フェムトＧＷ１２内部の位置登録データベース６２で管理する情報のデータ構成を端的に示す説明図である。【００６６】
位置登録データベース６２は、フェムトＧＷ１２で管理するＭＳ２の位置情報を管理している。【００６７】
位置情報は、ＭＳ２を識別するＭＡＣアドレス６２Ａと、ＭＳ２が所属する呼出グループを識別するＰＧＩＤ６２Ｂと、ＭＳ２を無線収容中のＢＳ３又はフェムトＢＳ７を識別するＢＳＩＤ６２Ｃと、アイドルモード中のＭＳ２に対する着信有無を示す呼出通知メッセージを送信する呼出周期６２Ｄと、呼出周期６２Ｄのタイミングをオフセット管理する呼出オフセット６２Ｅとを有している。【００６８】
次に、実施例１の無線通信システム１の動作について説明する。図６は、フェムトＢＳ初期設定に関わる無線通信システム１内部の処理動作を示すシーケンスである。【００６９】
フェムトＢＳ初期設定とは、無線通信システム１内へのフェムトＢＳ７の新規設置からフェムトＢＳ７経由で、フェムトＢＳ７に接続可能なＭＳ２との通信を開始するまでの設定動作に相当するものである。【００７０】
例えば、自宅内にフェムトＢＳ７を新規設置してＡＤＳＬ回線や光ファイバ回線経由でＩＳＰ８に接続したとする。【００７１】
図６に示すフェムトＢＳ７は、ＩＳＰ８との接続を確立すると、フェムトＧＷ１２との通信秘匿性を確保するためにＩＰｓｅｃトンネルを設定する（ステップＳ１１）。【００７２】
フェムトＧＷ１２は、必要に応じてＡＡＡサーバ１３と通信接続し、フェムトＢＳ７の認証を実行する（ステップＳ１２）。尚、フェムトＢＳ７は、ＡＡＡサーバ１３に対して予め電子証明書を取得しているため、ＡＡＡサーバ１３は、その電子証明書を使用してフェムトＢＳ７を認証することになる。【００７３】
ＡＡＡサーバ１３は、フェムトＢＳ７の認証が成功すると、フェムトＢＳ７の設定情報（Ｃｏｎｆｉｇｕｒａｔｉｏｎ  Ｉｎｆｏｒｍａｔｉｏｎ）をフェムトＢＳ７に送信する（ステップＳ１３）。尚、フェムトＢＳ７は、認証が成功すると、ＡＡＡサーバ１３以外の他のサーバからフェムトＢＳ７の設定情報を取得することも可能である。【００７４】
フェムトＢＳ７は、設定情報を受信すると、基地局としての基本動作を開始することになる（ステップＳ１４）。【００７５】
尚、基地局としての基本動作は、前置信号（Ｐｒｅａｍｂｌｅ）、下りリンク（Ｄｏｗｎ  Ｌｉｎｋ：以下、単にＤＬと称する）／上りリンク（Ｕｐ  Ｌｉｎｋ：以下、単にＵＬと称する）ＭＡＰ情報（以下、単にＤＬ／ＵＬ−ＭＡＰと称する）、下りチャネルディスクリプタ（Ｄｏｗｎ  Ｃｈａｎｎｅｌ  Ｄｉｓｃｒｉｐｔｅｒ：以下、単にＤＣＤと称する）／上りチャネルディスクリプタ（Ｕｐ  Ｃｈａｎｎｅｌ  Ｄｉｓｃｒｉｐｔｅｒ：以下、単にＵＣＤと称する）等の制御情報を、無線収容中のＭＳ２に対して無線送信するものである。【００７６】
次に、新規設置したフェムトＢＳ７にＭＳ２が新規接続を開始する場合、フェムトＢＳ７は、ＭＳ２の接続を許可するか否かを判断するために、ＭＳ２の認証動作を実行することになる。【００７７】
すなわち、ＭＳ２及びフェムトＢＳ７は、レンジング（Ｒａｎｇｉｎｇ）プロセス（ステップＳ１５）を通じて、送信パラメータ（周波数、タイミング及び送信電力）を調整し、ＳＢＣ（ＳＳ  Ｂａｓｉｃ  Ｃａｐａｂｉｌｉｔｙ）をネゴシエーションする（ステップＳ１６）。【００７８】
さらに、ＭＳ２は、個人鍵管理（Ｐｒｉｖａｃｙ  Ｋｅｙ  Ｍａｎａｇｅｍｅｎｔ：以下、単にＰＫＭと称する）プロトコルを使用し、ＭＳ２を認証するための拡張認証プロトコル（Ｅｘｔｅｎｓｉｂｌｅ  Ａｕｔｈｅｎｔｉｃａｔｉｏｎ  Ｐｒｏｔｏｃｏｌ：以下、単にＥＡＰと称する）メッセージをフェムトＢＳ７に送信する（ステップＳ１７）。尚、ＰＫＭは、ＥＡＰメッセージをフェムトＢＳ７及びＭＳ２間で転送するために用いる。また、ＥＡＰメッセージには、ＭＳ２の認証を行うためのＭＳ２の識別情報等を含んでいる。【００７９】
フェムトＢＳ７は、ＭＳ２の認証のためのＥＡＰメッセージを受信すると、ＥＡＰ転送（ＥＡＰ−Ｔｒａｎｓｆｅｒ）プロトコルを使用して、ＭＳ２の識別情報の他に、自分のＢＳＩＤを含むＥＡＰメッセージをフェムトＧＷ１２に転送する（ステップＳ１８）。【００８０】
フェムトＧＷ１２内部の認証部５１は、ＲＡＤＩＵＳプロトコル等を使用してフェムトＢＳ７から受信したＥＡＰメッセージをＡＡＡサーバ１３に転送する。【００８１】
ＡＡＡサーバ１３は、フェムトＢＳ７及びＭＳ２の接続許可に関わる管理内容と、ＥＡＰメッセージに含まれるＭＳ２の識別情報及びフェムトＢＳ７のＢＳＩＤとに基づき、ＭＳ２とフェムトＢＳ７との接続を許可しているか否かを確認する接続認証を実行し、その接続認証結果をフェムトＧＷ１２に送信する（ステップＳ１９）。【００８２】
フェムトＧＷ１２は、ＡＡＡサーバ１３を通じてＭＳ２とフェムトＢＳ７との接続を許可している場合、ＥＡＰ転送プロトコルを使用して、認証成功のＥＡＰメッセージをフェムトＢＳ７に転送する（ステップＳ２０）。【００８３】
フェムトＢＳ７は、ステップＳ２０にて認証成功のＥＡＰメッセージ（ＥＡＰ転送）を受信すると、認証成功のＭＳ２を識別するＭＡＣ（Ｍｅｄｉａ  Ａｃｃｅｓｓ  Ｃｏｎｔｒｏｌｌ）アドレスをアクセスリスト（Ａｃｃｅｓｓ  Ｌｉｓｔ）３３に追加する（ステップＳ２１）。【００８４】
フェムトＢＳ７は、認証成功のＭＳ２をアクセスリスト３３に追加すると、ＭＳ２の認証成功のＥＡＰメッセージをＭＳ２に送信する（ステップＳ２２）。【００８５】
フェムトＢＳ７は、ＭＳ２の認証成功のＥＡＰメッセージをＭＳ２に送信すると、登録（Ｒｅｇｉｓｔｒａｔｉｏｎ：ＲＥＧ）動作を実行し（ステップＳ２３）、ＭＳ２との通信を開始することになる（ステップＳ２４）。【００８６】
また、フェムトＧＷ１２は、ＡＡＡサーバ１３を通じてＭＳ２の認証失敗のＥＡＰメッセージを受信した場合、認証失敗をフェムトＢＳ７経由でＭＳ２に送信し、ＭＳ２に対して他のフェムトＢＳ７又は他のＢＳ３への再接続を促すことになる。【００８７】
また、フェムトＢＳ７は、ＭＳ２のＭＡＣアドレスがアクセスリスト３３内にない場合、認証失敗をＭＳ２に送信し、このＭＳ２に対して他のフェムトＢＳ７又は他のＢＳ３への再接続を促すことになる。【００８８】
尚、図６のシーケンスでは、新規設置したフェムトＢＳ７にＭＳ２が新規接続する場合を例に挙げて説明したが、例えばハンドオーバーに応じてＭＳ２が移動先フェムトＢＳ７に接続する場合、又はアイドルモード中のＭＳ２がアクティブモードに復帰してフェムトＢＳ７に接続する場合でも、ＭＳ２のＭＡＣアドレスがフェムトＢＳ７内のアクセスリスト３３に無ければ、ステップＳ１７乃至ステップＳ２０のＭＳ２及びフェムトＢＳ７間の接続認証を実行し、認証成功の場合は、ＭＳ２のＭＡＣアドレスをフェムトＢＳ７内のアクセスリスト３３に追加することになる。【００８９】
次に、ＭＳ２がアクティブモードからアイドルモードに移行してフェムトＢＳ７から離脱した後、このＭＳ２がフェムトＢＳ７から他のＢＳ３へ移動した場合の動作について説明する。図７は、アイドルモード中のＭＳ２によるフェムトＢＳ７から他のＢＳ３への呼出グループ間移動に伴う無線通信システム１内部の処理動作を示すシーケンスである。【００９０】
図７に示すＭＳ２は、アクティブモードからアイドルモードへ移行する際、離脱要求（ＤＲＥＧ−ＲＥＱ）メッセージをフェムトＢＳ７に送信する（ステップＳ３１）。【００９１】
フェムトＢＳ７は、離脱要求メッセージを受信すると、ＭＳ２がアイドルモードへ移行する準備段階として、アイドル移行要求（ＩＭ  Ｅｎｔｒｙ  Ｓｔａｔｅ  Ｃｈａｎｇｅ−Ｒｅｑｕｅｓｔ）をフェムトＧＷ１２に送信する（ステップＳ３２）。尚、アイドル移行要求は、ＭＳ２の情報（各種登録情報、セキュリティ情報やサービスフロー情報等）、ＭＳ２のＰＧＩＤ及び、送信元ＢＳ、すなわちフェムトＢＳ７を特定するためのＢＳＩＤを含むものである。【００９２】
フェムトＧＷ１２は、ＭＳ２に関する必要な情報としてＰＧＩＤ、フェムトＧＷ１２のＰＣ部５２を識別するＰＣＩＤ及び呼出周期等を管理しているため、アイドル移行要求を受信すると、ＰＧＩＤ，ＰＣＩＤ及び呼出周期等を含むアイドル移行要求応答（ＩＭ  Ｅｎｔｒｙ  Ｓｔａｔｅ  Ｃｈａｎｇｅ−Ｒｅｓｐｏｎｓｅ）をフェムトＢＳ７に送信する（ステップＳ３３）。【００９３】
フェムトＢＳ７は、アイドル移行要求応答を受信すると、呼出周期を含む離脱コマンド（ＤＥＲＧ−ＣＭＤ）メッセージをＭＳ２に送信する（ステップＳ３４）。ＭＳ２は、離脱コマンドメッセージを受信すると、アイドルモードに移行することになる（ステップＳ３５）。【００９４】
さらに、フェムトＢＳ７は、アイドルモード中のＭＳ２が自分配下に存在する場合、アイドル移行要求応答に含む呼出周期に基づき、着信の有無を表す呼出通知（Ｐａｇｉｎｇ  Ａｄｖｅｒｔｉｓｅｍｅｎｔ：ＰＡＧ−ＡＤＶ）メッセージをＭＳ２に送信する（ステップＳ３６）。【００９５】
また、アイドルモード中のＭＳ２がフェムトＢＳ７配下から遠く離れたＢＳ３、例えば＃２のＢＳ３に移動した場合（ステップＳ３７）、ＭＳ２は、＃２のＢＳ３の呼出エリア内に存在するため、＃２のＢＳ３から得る呼出通知メッセージを受信することになる。【００９６】
しかしながら、ＭＳ２は、＃２のＢＳ３で受信した呼出通知メッセージに含まれるＰＧＩＤと、フェムトＢＳ７で受信した呼出通知メッセージに含むＰＧＩＤとが異なるため、自分がフェムトＢＳ７から＃２のＢＳ３の呼出エリア内に移動したことを認識し、自己の位置登録更新動作を起動することになる。【００９７】
ＭＳ２は、位置登録更新動作を起動すると、ＰＣＩＤ及び位置登録更新フラグ（以下、単にＬＵフラグと称する）を含むレンジング要求（ＲＮＧ−ＲＥＱ）メッセージを＃２のＢＳ３に送信する（ステップＳ３８）。尚、ＬＵフラグは、レンジング要求メッセージが自己の位置登録を要求するメッセージであることを示すものである。【００９８】
＃２のＢＳ３は、ＭＳ２からのレンジング要求メッセージを受信すると、ＭＳ２からのＰＣＩＤ、すなわちフェムトＧＷ１２のＰＣ部５２のＰＣＩＤに基づき、ＰＧＩＤ及び、自分の＃２のＢＳ３を識別するＢＳＩＤを含む位置登録要求（ＬＵ  Ｒｅｑ）をＡＳＮ−ＧＷ１１経由（ステップＳ３９）でフェムトＧＷ１２内部のＰＣ部５２に送信する（ステップＳ４０）。【００９９】
フェムトＧＷ１２内部のＰＣ部５２は、ＡＳＮ−ＧＷ１１経由で位置登録要求を受信すると、位置登録要求応答（ＬＵ  Ｒｓｐ）をＡＳＮ−ＧＷ１１経由（ステップＳ４１）で＃２のＢＳ３に送信する（ステップＳ４２）。【０１００】
尚、位置登録要求応答には、ステップＳ３８にてＭＳ２から受信したレンジング要求メッセージの正当性を＃２のＢＳ３側でチェックするメッセージ認証コード（Ｃｉｐｈｅｒ−ｂａｓｅｄ  ｍｅｓｓａｇｅ  ａｕｔｈｅｎｔｉｃａｔｉｏｎ  ｃｏｄｅ：以下、単にＣＭＡＣと称する）を計算するための鍵情報を含むものである。【０１０１】
＃２のＢＳ３は、位置登録要求応答を受信すると、位置登録要求応答に含まれるＣＭＡＣの鍵情報に基づき、レンジング要求メッセージのＣＭＡＣを計算し、計算結果のＣＭＡＣと、レンジング要求メッセージに添付したＣＭＡＣとを比較し、レンジング要求メッセージの正当性を確認する。【０１０２】
＃２のＢＳ３は、ＣＭＡＣの比較結果に基づき、ＭＳ２からのレンジング要求メッセージの正当性を確認すると、正当性確認を含むレンジング要求応答（ＲＮＧ−ＲＳＰ）メッセージをＭＳ２に送信する（ステップＳ４３）。【０１０３】
さらに、＃２のＢＳ３は、ステップＳ４２の位置登録要求応答に対する位置登録確認（ＬＵ  Ｃｏｎｆｉｒｍ）を、ＡＳＮ−ＧＷ１１経由（ステップＳ４４）でフェムトＧＷ１２内部のＰＣ部５２に送信する（ステップＳ４５）。【０１０４】
フェムトＧＷ１２内部のＰＣ部５２は、ＡＳＮ−ＧＷ１１経由で＃２のＢＳ３からの位置登録確認を受信すると、ステップＳ４０にて受信した位置登録要求に含まれた＃２のＢＳ３のＢＳＩＤやＰＧＩＤに基づき、ＭＳ２の位置情報を位置登録データベース６２に更新登録する（ステップＳ４６）。【０１０５】
そして、フェムトＧＷ１２は、位置登録データベース６２を更新すると、フェムトＢＳ送信制御判定処理を実行する（ステップＳ４７）。【０１０６】
尚、フェムトＢＳ送信制御判定処理は、位置登録データベース６２の内容に基づき、移動前判定部５３にて位置登録更新のＭＳ２が＃２のＢＳ３配下に移動する前にフェムトＢＳ７又はフェムトＢＳ７近傍のＢＳ３配下に存在していたとする第１条件を満たし、かつ、第１接続有無判定部５４にてフェムトＢＳ７に接続可能な全ＭＳ２がフェムトＢＳ７及び、フェムトＢＳ７と同一のＰＧＩＤに属するＢＳ３から離れている第２条件を満たし、さらには、アクティブ状態判定部５５にてフェムトＢＳ７がアクティブ状態であるとする第３条件を満たしているか否かを判定する。【０１０７】
フェムトＧＷ１２内部のコマンド制御部５６は、フェムトＢＳ送信制御判定処理を通じて、第１条件、第２条件及び第３条件を満たした場合、フェムトＢＳ７に対してアイドル状態、すなわち、制御情報の無線送信停止を指示すべく、送信停止コマンドをフェムトＢＳ７に送信する（ステップＳ４８）。【０１０８】
フェムトＢＳ７は、フェムトＧＷ１２からの送信停止コマンドを受信すると、制御情報の無線送信を停止するアイドル状態に移行することになる（ステップＳ４９）。その結果、フェムトＢＳ７は、無駄な送信電力の浪費又は隣接セルへの与干渉を回避することができる。【０１０９】
さらに、フェムトＢＳ７は、無線送信を停止するアイドル状態に移行すると、アイドル状態へ移行したことを示す確認応答（Ａｃｋ）をフェムトＧＷ１２に送信する（ステップＳ５０）。【０１１０】
フェムトＧＷ１２は、フェムトＢＳ７からアイドル状態の確認応答を受信すると、フェムトＢＳ７の状態情報をアイドル状態としてフェムトＢＳ管理テーブル６３内に更新することになる。【０１１１】
次に、アイドルモード中のＭＳ２がフェムトＢＳ７から他のＢＳ３からフェムトＢＳ７近傍のＢＳ３、例えば＃１のＢＳ３に移動した場合の動作について説明する。図８は、アイドルモード中のＭＳ２による他のＢＳ３からフェムトＢＳ７近傍のＢＳ３への呼出グループ間移動に伴う無線通信システム１内部の処理動作を示すシーケンスである。【０１１２】
アイドルモード中のＭＳ２は、例えば＃２のＢＳ３から＃１のＢＳ３配下に移動した場合、＃１のＢＳ３から受信した呼出通知メッセージに含むＰＧＩＤと＃２のＢＳ３から受信した呼出通知メッセージに含むＰＧＩＤとが異なるため、自分がフェムトＢＳ７から＃１のＢＳ３の呼出エリア内に移動したことを認識し、自己の位置登録更新動作を起動することになる。【０１１３】
アイドルモード中のＭＳ２は、位置登録更新動作を起動すると、ＰＣＩＤ及びＬＵフラグを含むレンジング要求メッセージを＃１のＢＳ３に送信する（ステップＳ６１）。【０１１４】
＃１のＢＳ３は、ＭＳ２からのレンジング要求メッセージを受信すると、レンジング要求メッセージに含むＰＣＩＤに基づき、ＰＧＩＤ及び、自分の＃１のＢＳ３を識別するＢＳＩＤを含む位置登録要求をＡＳＮ−ＧＷ１１経由（ステップＳ６２）でフェムトＧＷ１２内部のＰＣ部５２に送信する（ステップＳ６３）。【０１１５】
フェムトＧＷ１２内部のＰＣ部５２は、ＡＳＮ−ＧＷ１１経由で位置登録要求を受信すると、レンジング要求メッセージの正当性を認証するＣＭＡＣの鍵情報を含む位置登録要求応答をＡＳＮ−ＧＷ１１経由（ステップＳ６４）で＃１のＢＳ３に送信する（ステップＳ６５）。【０１１６】
＃１のＢＳ３は、位置登録要求応答を受信すると、位置登録要求応答に含まれるＣＭＡＣの鍵情報に基づき、レンジング要求メッセージのＣＭＡＣを計算し、計算結果のＣＭＡＣと、レンジング要求メッセージに添付したＣＭＡＣとを比較し、レンジング要求メッセージの正当性を確認する。【０１１７】
＃１のＢＳ３は、ＣＭＡＣの比較結果に基づき、ＭＳ２からのレンジング要求メッセージの正当性を確認すると、正当性確認を含むレンジング要求応答メッセージをＭＳ２に送信すると共に（ステップＳ６６）、位置登録要求に対する位置登録確認をＡＳＮ−ＧＷ１１経由（ステップＳ６７）でフェムトＧＷ１２内部のＰＣ部５２に送信する（ステップＳ６８）。【０１１８】
フェムトＧＷ１２内部のＰＣ部５２は、ＡＳＮ−ＧＷ１１経由で＃１のＢＳ３からの位置登録確認を受信すると、ステップＳ６３にて受信した位置登録要求に含まれた＃１のＢＳ３のＢＳＩＤやＰＧＩＤに基づき、ＭＳ２の位置情報を位置登録データベース６２に更新登録する（ステップＳ６９）。【０１１９】
そして、フェムトＧＷ１２は、位置登録データベース６２を更新すると、フェムトＢＳ送信制御判定処理を実行する（ステップＳ７０）。【０１２０】
尚、フェムトＢＳ送信制御判定処理は、位置登録データベース６２の内容に基づき、移動前判定部５３にて位置登録更新のＭＳ２が＃１のＢＳ３配下に移動する前にフェムトＢＳ７又はフェムトＢＳ７近傍のＢＳ３配下に存在していた第１条件を満たさず、すなわち第４条件を満たし、かつ、第２接続有無判定部５７にて現在のＭＳ２がフェムトＢＳ７又はフェムトＢＳ７と同一ＰＧＩＤに属するＢＳ３配下にいる第５条件を満たし、さらには、アイドル状態判定部５８にてフェムトＢＳ７がアイドル状態である第６条件を満たしているか否かを判定する。【０１２１】
フェムトＧＷ１２内部のコマンド制御部５６は、フェムトＢＳ送信制御判定処理を通じて第４条件、第５条件及び第６条件を満たした場合、フェムトＢＳ７に対してアクティブ状態、すなわち、制御情報の無線送信再開を指示すべく、送信再開コマンドをフェムトＢＳ７に送信する（ステップＳ７１）。【０１２２】
フェムトＢＳ７は、フェムトＧＷ１２からの送信再開コマンドを受信すると、制御情報の無線送信を再開するアクティブ状態に移行することになる（ステップＳ７２）。その結果、フェムトＢＳ７は、ＭＳ２に対する基地局としての基本動作を再開することになる。【０１２３】
さらに、フェムトＢＳ７は、無線送信を再開するアクティブ状態に移行すると、アクティブ状態を示す確認応答をフェムトＧＷ１２に送信する（ステップＳ７３）。【０１２４】
フェムトＧＷ１２は、フェムトＢＳ７からアクティブ状態の確認応答を受信すると、フェムトＢＳ７の状態情報をアクティブ状態としてフェムトＢＳ管理テーブル６３内に更新する。【０１２５】
次に、ＭＳ２からレンジング要求メッセージ（図７のステップＳ３８及び図８のステップＳ６１参照）を受信したＢＳ３（フェムトＢＳ７）の動作について説明する。図９は、レンジング要求受信処理に関わるＢＳ３（フェムトＢＳ７）内部の処理動作を示すフローチャートである。【０１２６】
図９においてＢＳ３（フェムトＢＳ７）は、ＭＳ２からのレンジング要求メッセージを受信すると（ステップＳ８１）、アクセスリスト３３内にレンジング要求メッセージのＭＳ２のＭＡＣアドレスがあるか否かを判定する（ステップＳ８２）。【０１２７】
ＢＳ３（フェムトＢＳ７）は、アクセスリスト３３内にＭＳ２のＭＡＣアドレスがある場合（ステップＳ８２肯定）、レンジング要求メッセージがＣＭＡＣ付きであるか否かを判定する（ステップＳ８３）。【０１２８】
また、ＣＭＡＣ付きのレンジング要求メッセージは、ハンドオーバーで隣接ＢＳ３から移動してきたＭＳ２や、アイドルモードからアクティブモードへ復帰したＭＳ２からのレンジング要求メッセージである。また、ＣＭＡＣなしのレンジング要求メッセージは、電源投入後の初期段階の開始プロセス等でＭＳ２から送信されるメッセージである。【０１２９】
ＢＳ３（フェムトＢＳ７）は、レンジング要求メッセージがＣＭＡＣ付きの場合（ステップＳ８３肯定）、ＣＭＡＣの正当性を確認するための鍵情報をフェムトＧＷ１２から取得し、この取得した鍵情報に基づきＣＭＡＣを計算し、計算結果のＣＭＡＣとレンジング要求メッセージに添付したＣＭＡＣとを比較する（ステップＳ８４）。【０１３０】
ＢＳ３（フェムトＢＳ７）は、比較結果に基づき、ＣＭＡＣが合致したか否かを判定する（ステップＳ８５）。【０１３１】
ＢＳ３（フェムトＢＳ７）は、ＣＭＡＣが合致した場合（ステップＳ８５肯定）、レンジング要求メッセージが正当性あるものと判断し、レンジング要求メッセージを送信したＭＳ２との接続を許可し（ステップＳ８６）、図９に示す処理動作を終了する。【０１３２】
また、ＢＳ３（フェムトＢＳ７）は、アクセスリスト３３内にＭＳ２のＭＡＣアドレスがない場合（ステップＳ８２否定）、又はレンジング要求メッセージがＣＭＡＣ付きでない場合（ステップＳ８３否定）、又はＣＭＡＣが合致しなかった場合（ステップＳ８５否定）、ステップＳ８１にて受信したレンジング要求メッセージが正当性ないものと判断し、レンジング要求メッセージのＭＳ２の認証を開始すべく、フェムトＧＷ１２及びＡＡＡサーバ１３を交えたフル認証を実行することで（ステップＳ８７）、図９に示す処理動作を終了する。【０１３３】
尚、フル認証とは、ＭＳ２が、ＰＫＭプロトコルを使用して電子証明書を含むＥＡＰメッセージをフェムトＢＳ７及びフェムトＧＷ１２経由でＡＡＡサーバ１３に送信し、ＡＡＡサーバ１３側でＭＳ２を認証するＥＡＰ認証に相当するものである。【０１３４】
また、フェムトＢＳ７及びフェムトＧＷ１２間は、ＥＡＰ転送プロトコルを使用してＥＡＰメッセージを転送し、フェムトＢＳ７及びＡＡＡサーバ１３間は、ＲＡＤＩＵＳ等の認証プロトコルを使用してＥＡＰメッセージを転送するものである。【０１３５】
また、ＭＳ２のフル認証を実行する場合、ＢＳ３（フェムトＢＳ７）は、ＥＡＰ転送プロトコルを使用してフェムトＧＷ１２からＡＡＡサーバ１３側のＭＳ２の認証結果を取得することになる。【０１３６】
図９に示すレンジング要求受信処理では、ＭＳ２からのレンジング要求メッセージを受信した場合、レンジング要求メッセージに関わるＭＳ２のＭＡＣアドレスがアクセスリスト３３内にあり、かつ、レンジング要求メッセージがＣＭＡＣ付きで、さらに、レンジング要求メッセージのＣＭＡＣが合致した場合、ＢＳ３（フェムトＢＳ７）は、レンジング要求メッセージを発信したＭＳ２との接続を許可するようにしたので、ＢＳ３（フェムトＢＳ７）に対するＭＳ２の不正接続を防止することができる。【０１３７】
また、レンジング要求受信処理では、レンジング要求メッセージに関わるＭＳ２のＭＡＣアドレスがアクセスリスト３３内にない場合、又はレンジング要求メッセージがＣＭＡＣ付きでない場合、又はレンジング要求メッセージのＣＭＡＣが合致しなかった場合、ＢＳ３（フェムトＢＳ７）は、レンジング要求メッセージを送信したＭＳ２のフル認証を実行するようにしたので、ＢＳ３（フェムトＢＳ７）に対するＭＳ２の不正接続を防止することができる。【０１３８】
次に、ＭＳ２のフル認証を実行し、ＥＡＰ転送プロトコルを使用して、フェムトＧＷ１２からＡＡＡサーバ１３側のＭＳ２の認証成功のＥＡＰメッセージを受信した場合のフェムトＢＳ７の動作について説明する。図１０は、アクセスリスト追加処理に関わるフェムトＢＳ７内部の処理動作を示すフローチャートである。【０１３９】
図１０においてフェムトＢＳ７は、ＥＡＰ転送プロトコルを使用してＡＡＡサーバ１３からＥＡＰメッセージをフェムトＧＷ１２経由で受信すると（ステップＳ９１）、ＥＡＰメッセージに基づき、ＭＳ２の認証が成功したか否かを判定する（ステップＳ９２）。【０１４０】
フェムトＢＳ７は、ＭＳ２の認証が成功した場合（ステップＳ９２肯定）、ＭＳ２のＭＡＣアドレスをアクセスリスト３３に追加し（ステップＳ９３）、図１０に示す処理動作を終了する。【０１４１】
また、フェムトＢＳ７は、ＭＳ２の認証が成功しなかった場合（ステップＳ９２否定）、図１０に示す処理動作を終了する。【０１４２】
フェムトＢＳ７は、ＭＳ２のＭＡＣアドレスをアクセスリスト３３に追加すると、ＥＡＰ転送プロトコルで受信した認証成功又は認証失敗のＥＡＰメッセージをＭＳ２に転送する。【０１４３】
尚、アクセスリスト３３に追加したＭＳ２のＭＡＣアドレスは、一定時間経過後に自動的に削除、又はコマンドに応じて削除される場合があるものとする。【０１４４】
図１０に示すアクセス追加処理では、フェムトＧＷ１２経由でＥＡＰ転送プロトコルによるＥＡＰメッセージを受信し、ＭＳ２の認証が成功した場合、このＭＳ２のＭＡＣアドレスをフェムトＢＳ７内のアクセスリスト３３に追加するようにしたので、フェムトＢＳ７では、アクセスリスト３３の内容に基づき接続可能なＭＳ２を認識することができる。【０１４５】
次に、ＭＳ２の離脱要求メッセージを受信したフェムトＢＳ７の動作について説明する。図１１は、離脱要求受信処理に関わるフェムトＢＳ７内部の処理動作を示すフローチャートである。【０１４６】
図１１においてフェムトＢＳ７は、ＭＳ２からの離脱要求メッセージを受信すると（ステップＳ１０１）、ＭＳ２のアイドル移行要求をフェムトＧＷ１２内のＰＣ部５２に送信する（ステップＳ１０２）。【０１４７】
尚、フェムトＧＷ１２は、アイドル移行要求を受信すると、アイドル移行要求に含まれたＢＳＩＤ及びＭＳ２の情報を登録する。さらに、フェムトＧＷ１２は、自分のＰＣ部５２を識別するＰＣＩＤ及びアイドルモード用パラメータ（呼出周期等）を記憶すると共に、これらＰＣＩＤ及びアイドルモード用パラメータ（呼出周期等）をアイドル移行要求応答に格納し、このアイドル移行要求応答をフェムトＢＳ７に送信する。【０１４８】
また、フェムトＧＷ１２は、アイドル移行要求応答をフェムトＢＳ７に送信すると、システムタイマをセットし、システムタイマがタイムアップするまでに、ＭＳ２の位置登録更新の有無を監視する。【０１４９】
フェムトＧＷ１２は、システムタイマがタイムアップするまでに、ＭＳ２の位置登録更新がない場合、ＭＳ２の関連情報を削除することができる。尚、フェムトＧＷ１２内部のＰＣ部５２は、ＭＳ２の位置情報としてアイドルモード用パラメータ（呼出周期等）を位置登録データベース６２に更新登録するものである。【０１５０】
フェムトＢＳ７は、フェムトＧＷ１２からのアイドル移行要求応答を受信すると（ステップＳ１０３）、アイドル移行要求応答に含まれたアイドルモード用パラメータ（呼出周期等）を記憶すると共に（ステップＳ１０４）、このパラメータを含む離脱コマンドメッセージをＭＳ２に送信し（ステップＳ１０５）、図１１に示す処理動作を終了する。【０１５１】
その結果、ＭＳ２は、離脱コマンドメッセージに応じてアイドルモードに移行すると共に、離脱コマンドメッセージに含むアイドルモード用パラメータ（呼出周期等）を記憶する。【０１５２】
その後、ＭＳ２は、記憶中のアイドルモード用パラメータ（呼出周期等）に基づき、フェムトＢＳ７から定期的に着信の有無を表す呼出通知メッセージを受信することになる。【０１５３】
図１１に示すフェムトＢＳ７側の離脱要求受信処理では、ＭＳ２からの離脱要求コマンドに応じて離脱コマンドメッセージをＭＳ２に送信するようにしたので、ＭＳ２はアイドルモードに移行することができる。【０１５４】
また、離脱要求受信処理では、アイドルモード用パラメータ（呼出周期等）を含む離脱コマンドメッセージをＭＳ２に送信するようにしたので、ＭＳ２では、アイドルモード中であっても、呼出周期に基づき、フェムトＢＳ７からの着信有無を表す呼出通知メッセージを定期的に受信し、着信有無を認識することができる。【０１５５】
図１２は、呼出通知送信処理に関わるフェムトＢＳ７内部の処理動作を示すフローチャートである。【０１５６】
フェムトＢＳ７は、アイドルモード用パラメータの呼出周期に到達したか否かを判定する（ステップＳ１１１）。【０１５７】
フェムトＢＳ７は、呼出周期に到達した場合（ステップＳ１１１肯定）、呼出通知メッセージをＭＳ２に送信し（ステップＳ１１２）、ステップＳ１１１に移行する。【０１５８】
また、フェムトＢＳ７は、呼出周期に到達しなかった場合（ステップＳ１１１否定）、呼出周期に到達するまでステップＳ１１１の判定動作を継続する。【０１５９】
図１２に示すフェムトＢＳ７側の呼出通知送信処理では、アイドルモード中のＭＳ２であっても、呼出周期に応じて呼出通知メッセージをＭＳ２に送信するようにしたので、ＭＳ２は、着信有無を認識することができる。【０１６０】
次に、ＭＳ２からＬＵフラグを含むレンジング要求メッセージ（位置登録用レンジング要求メッセージ）を受信した場合のフェムトＢＳ７（ＢＳ３）の動作について説明する。図１３は、位置登録用レンジング要求受信処理に関わるフェムトＢＳ７（ＢＳ３）内部の処理動作を示すフローチャートである。【０１６１】
ＭＳ２は、定期的、又は新たな呼出グループに属するＢＳ３配下に移動した場合等で、自分の現在位置を位置登録すべく、位置登録更新動作を起動することになる。例えば定期的な位置登録更新は、ＭＳ２が保持する内部タイマがタイムアップした場合を起動タイミングとして、位置登録用のレンジング要求メッセージをＢＳ３又はフェムトＢＳ７に送信することになる。また、移動による位置登録更新は、受信する呼出通知メッセージのＰＧＩＤが変化した場合を起動タイミングとして、位置登録用のレンジング要求メッセージをＢＳ３又はフェムトＢＳ７に送信することになる。【０１６２】
ＭＳ２は、ＰＣＩＤ及びＬＵフラグを含むレンジング要求メッセージ（位置登録用レンジング要求メッセージ）を移動先フェムトＢＳ７（ＢＳ３）に送信したとする。尚、ＰＣＩＤは、アイドルモード移行時又は直近の位置登録更新時に通知されたＰＣＩＤの内、最新のＰＣＩＤに相当するものである。【０１６３】
図１３においてフェムトＢＳ７（ＢＳ３）は、ＬＵフラグを含むレンジング要求メッセージを受信すると（ステップＳ１２１）、レンジング要求メッセージに含まれたＰＣＩＤに基づき、ＡＳＮ−ＧＷ１１経由で、ＭＳ２からのＰＣＩＤ及び自分のＢＳＩＤを含む位置登録要求をフェムトＧＷ１２内部のＰＣ部５２に送信する（ステップＳ１２２）。【０１６４】
尚、フェムトＧＷ１２は、位置登録要求を受信すると、位置登録要求に含まれるＭＳ２に関わるＰＧＩＤ及び直近のＢＳＩＤに基づき、ＭＳ２の位置情報を位置登録データベース６２に更新する。さらに、フェムトＧＷ１２は、位置登録要求応答をフェムトＢＳ７（ＢＳ３）に送信すると共に、システムタイマをリセットする。尚、システムタイマのタイマ時間は、ＭＳ２で保持する内部タイマのタイマ時間よりも若干長く設定してある。【０１６５】
フェムトＢＳ７（ＢＳ３）は、フェムトＧＷ１２からの位置登録要求応答を受信すると（ステップＳ１２３）、位置登録要求応答に含まれるＣＭＡＣの鍵情報に基づき、レンジング要求メッセージのＣＭＡＣを計算し、計算結果で得たＣＭＡＣと、レンジング要求メッセージに添付したＣＭＡＣとを比較し、ステップＳ１２１で受信したレンジング要求メッセージの正当性を確認する（ステップＳ１２４）。【０１６６】
フェムトＢＳ７（ＢＳ３）は、ＭＳ２からのレンジング要求メッセージの正当性を確認した場合、正当性確認を含むレンジング要求応答メッセージをＭＳ２に送信すると共に、位置登録要求に対する位置登録確認を、ＡＳＮ−ＧＷ１１経由でフェムトＧＷ１２に送信し（ステップＳ１２５）、図１３に示す処理動作を終了する。【０１６７】
また、フェムトＢＳ７（ＢＳ３）は、ＭＳ２からのレンジング要求メッセージの正当性を確認できなかった場合、ステップＳ１２５にて正当性確認不可を含むレンジング要求応答メッセージをＭＳ２に送信し、図１３に示す処理動作を終了する。【０１６８】
図１３に示すフェムトＢＳ７（ＢＳ３）側の位置登録用レンジング要求受信処理では、ＬＵフラグを含むレンジング要求メッセージをＭＳ２から受信し、レンジング要求メッセージのＣＭＡＣに基づき、レンジング要求メッセージの正当性を確認した場合、レンジング要求応答メッセージをＭＳ２に送信すると共に、位置登録確認をフェムトＧＷ１２に送信するようにしたので、ＭＳ２及びフェムトＧＷ１２に対して位置登録を通知することができる。【０１６９】
次に、フェムトＧＷ１２の送信停止処理について説明する。図１４は、送信停止処理に関わるフェムトＧＷ１２内部の処理動作を示すフローチャートである。【０１７０】
フェムトＧＷ１２は、移動先のＢＳ３（フェムトＢＳ７）から位置登録要求を受信すると（ステップＳ１３１）、移動先のＢＳ３（フェムトＢＳ７）側でレンジング要求メッセージのＣＭＡＣをチェックするための鍵情報を含む位置登録要求応答を移動先のＢＳ３（フェムトＢＳ７）に送信する（ステップＳ１３２）。【０１７１】
フェムトＧＷ１２は、位置登録要求応答を送信後、ＢＳ３（フェムトＢＳ７）側がＭＳ２からのレンジング要求メッセージの正当性を確認できたか否かを示す位置登録確認を受信すると（ステップＳ１３３）、位置登録確認に基づき、レンジング要求メッセージの正当性が確認できた場合、先に受信した位置登録要求に含まれるＢＳＩＤ及びＰＧＩＤに基づき、ＭＳ２の位置情報を位置登録データベース６２に更新する（ステップＳ１３４）。【０１７２】
フェムトＧＷ１２の移動前判定部５３は、位置登録データベース６２の内容に基づき、位置登録更新のＭＳ２が移動先ＢＳ３配下に移動する前にフェムトＢＳ７又はフェムトＢＳ７近傍のＢＳ３配下に存在していた第１条件を満たしているか否かを判定する（ステップＳ１３５）。【０１７３】
フェムトＧＷ１２の第１接続有無判定部５４は、移動前判定部５３にて第１条件を満たしている場合（ステップＳ１３５肯定）、フェムトＢＳ７に接続可能な全ＭＳ２がフェムトＢＳ７及びフェムトＢＳ７と同一ＰＧＩＤに属するＢＳ３から離れている第２条件を満たしているか否かを判定する（ステップＳ１３６）。【０１７４】
フェムトＧＷ１２のアクティブ状態判定部５５は、第１接続有無判定部５４にて第２条件を満たしている場合（ステップＳ１３６肯定）、フェムトＢＳ７がアクティブ状態である第３条件を満たしているか否かを判定する（ステップＳ１３７）。【０１７５】
フェムトＧＷ１２のコマンド制御部５６は、アクティブ状態判定部５５にて第３条件を満たしている場合（ステップＳ１３７肯定）、フェムトＢＳ７に対してアイドル状態、すなわち、制御情報の無線送信停止を指示すべく、送信停止コマンドをフェムトＢＳ７に送信する（ステップＳ１３８）。【０１７６】
尚、フェムトＢＳ７は、フェムトＧＷ１２からの送信停止コマンドを受信すると、制御情報の無線送信を停止するアイドル状態に移行することになる。その結果、フェムトＢＳ７は、無駄な送信電力の浪費や隣接セルへの与干渉を回避することができる。【０１７７】
フェムトＧＷ１２は、送信停止コマンドをフェムトＢＳ７に送信すると、フェムトＢＳ７からアイドル状態に移行した確認応答の受信待ち状態となる（ステップＳ１３９）。【０１７８】
フェムトＧＷ１２は、アイドル状態の確認応答を受信すると（ステップＳ１４０）、フェムトＢＳ７の状態情報をアイドル状態としてフェムトＢＳ管理テーブル６３に更新し（ステップＳ１４１）、図１４に示す処理動作を終了する。【０１７９】
また、フェムトＧＷ１２は、移動前判定部５３にて第１条件を満たさなかった場合（ステップＳ１３５否定）、又は第１接続有無判定部５４にて第２条件を満たさなかった場合（ステップＳ１３６否定）、又はアクティブ状態判定部５５にて第３条件を満たさなかった場合（ステップＳ１３７否定）、図１４に示す処理動作を終了する。【０１８０】
図１４に示すフェムトＧＷ１２側の送信停止処理では、ＭＳ２の位置登録確認を受信すると、位置登録データベース６２の内容を更新し、位置登録データベース６２の内容に基づき、第１条件、第２条件及び第３条件を満たした場合、フェムトＢＳ７に対して送信停止コマンドを送信するようにしたので、フェムトＢＳ７側では、無駄な送信電力の浪費や隣接セルへの与干渉を回避することができる。【０１８１】
次に、フェムトＧＷ１２から送信停止コマンドを受信したフェムトＢＳ７の動作について説明する。図１５は、送信停止コマンド受信処理に関わるフェムトＢＳ７内部の処理動作を示すフローチャートである。【０１８２】
図１５においてフェムトＢＳ７は、フェムトＧＷ１２から送信停止コマンドを受信すると（ステップＳ１５１）、配下のＭＳ２が存在するか否かを判定する（ステップＳ１５２）。【０１８３】
フェムトＢＳ７は、配下のＭＳ２が存在しない場合（ステップＳ１５２否定）、無線送信を停止するアイドル状態に移行し（ステップＳ１５３）、アイドル状態に移行したことを示す確認応答をフェムトＧＷ１２に送信する（ステップＳ１５４）。【０１８４】
フェムトＢＳ７は、アイドル状態の確認応答をフェムトＧＷ１２に送信した場合、送信再開コマンドの受信待機状態のまま、図１５に示す処理動作を終了する。【０１８５】
図１５に示すフェムトＢＳ７側の送信停止コマンド受信処理では、フェムトＧＷ１２からの送信停止コマンドを受信すると、制御情報の無線送信を停止するアイドル状態に移行するようにしたので、フェムトＢＳ７側では、無駄な送信電力の浪費や隣接セルへの与干渉を回避することができる。【０１８６】
次に、フェムトＧＷ１２の送信停止処理及び送信再開処理を含む送信制御処理について説明する。図１６は、送信制御処理に関わるフェムトＧＷ１２内部の処理動作を示すフローチャートである。【０１８７】
図１６においてフェムトＧＷ１２は、位置登録要求応答を送信後、移動先のＢＳ３（フェムトＢＳ７）側からＭＳ２のレンジング要求メッセージの正当性を確認できたことを示す位置登録確認を受信すると（ステップＳ１６１）、位置登録確認に基づき、レンジング要求メッセージの正当性が確認できた場合、先に受信した位置登録要求に含まれるＢＳＩＤ及びＰＧＩＤに基づき、ＭＳ２の位置情報を位置登録データベース６２に更新する（ステップＳ１６２）。【０１８８】
フェムトＧＷ１２内の移動前判定部５３は、位置登録データベース６２の内容に基づき、位置登録更新のＭＳ２が移動先ＢＳ３配下に移動する前にフェムトＢＳ７又はフェムトＢＳ７近傍のＢＳ３配下に存在していた第１条件を満たしているか否かを判定する（ステップＳ１６３）。【０１８９】
フェムトＧＷ１２内の第１接続有無判定部５４は、移動前判定部５３にて第１条件を満たしている場合（ステップＳ１６３肯定）、フェムトＢＳ７に接続可能な全ＭＳ２がフェムトＢＳ７及びフェムトＢＳ７と同一ＰＧＩＤに属するＢＳ３から離れている第２条件を満たしているか否かを判定する（ステップＳ１６４）。【０１９０】
フェムトＧＷ１２内のアクティブ状態判定部５５は、第１接続有無判定部５４にて第２条件を満たしている場合（ステップＳ１６４肯定）、フェムトＢＳ７がアクティブ状態である第３条件を満たしているか否かを判定する（ステップＳ１６５）。【０１９１】
フェムトＧＷ１２内のコマンド制御部５６は、アクティブ状態判定部５５にて第３条件を満たしている場合（ステップＳ１６５肯定）、フェムトＢＳ７に対してアイドル状態、すなわち、制御情報の無線送信停止を指示すべく、送信停止コマンドをフェムトＢＳ７に送信する（ステップＳ１６６）。【０１９２】
尚、フェムトＢＳ７は、フェムトＧＷ１２からの送信停止コマンドを受信すると、制御情報の無線送信を停止するアイドル状態に移行することになる。その結果、フェムトＢＳ７は、無駄な送信電力の浪費や隣接セルへの与干渉を回避することができる。【０１９３】
フェムトＧＷ１２は、送信停止コマンドをフェムトＢＳ７に送信すると、フェムトＢＳ７からフェムトＢＳ７の状態を示す確認応答の受信待ち状態となる（ステップＳ１６７）。尚、フェムトＢＳ７では、送信停止コマンドを受信すると、アクティブ状態からアイドル状態に移行することになるため、アイドル状態の確認応答をフェムトＧＷ１２に送信することになる。【０１９４】
フェムトＧＷ１２は、フェムトＢＳ７の状態を示す確認応答を受信すると（ステップＳ１６８）、フェムトＢＳ７の状態情報をフェムトＢＳ管理テーブル６３に更新し（ステップＳ１６９）、図１６に示す処理動作を終了する。【０１９５】
また、フェムトＧＷ１２内の移動前判定部５３は、位置登録データベース６２の内容に基づき、位置登録更新のＭＳ２が移動先ＢＳ３配下に移動する前にフェムトＢＳ７又はフェムトＢＳ７近傍のＢＳ３配下に存在していた第１条件を満たさなかった場合（ステップＳ１６３否定）、第４条件を満たしたものと判断する。【０１９６】
また、フェムトＧＷ１２内の第２接続有無判定部５７は、第４条件を満たした場合、現在のＭＳ２がフェムトＢＳ７又はフェムトＢＳ７と同一ＰＧＩＤに属するＢＳ３配下にいる第５条件を満たしたか否かを判定する（ステップＳ１７０）。【０１９７】
フェムトＧＷ１２内のアイドル状態判定部５８は、第２接続有無判定部５７にて第５条件を満たした場合（ステップＳ１７０肯定）、フェムトＢＳ７がアイドル状態である第６条件を満たしているかを判定する（ステップＳ１７１）。【０１９８】
フェムトＧＷ１２内のコマンド制御部５６は、アイドル状態判定部５８にて第６条件を満たした場合（ステップＳ１７１肯定）、フェムトＢＳ７に対してアクティブ状態、すなわち、制御情報の無線送信再開を指示すべく、送信再開コマンドをフェムトＢＳ７に送信する（ステップＳ１７２）。【０１９９】
尚、フェムトＢＳ７は、フェムトＧＷ１２からの送信再開コマンドを受信すると、制御情報の無線送信を再開するアクティブ状態に移行することになる。その結果、フェムトＢＳ７は、ＭＳ２に対する基地局としての基本動作を再開することになる。【０２００】
フェムトＧＷ１２は、送信再開コマンドをフェムトＢＳ７に送信すると、フェムトＢＳ７から状態情報を示す確認応答の受信待ち状態となるべく、ステップＳ１６７に移行する。尚、フェムトＢＳ７では、送信再開コマンドを受信すると、アイドル状態からアクティブ状態に移行することになるため、アクティブ状態の確認応答をフェムトＧＷ１２に送信すべく、ステップＳ１６７に移行する。【０２０１】
フェムトＧＷ１２は、ステップＳ１６８にてアクティブ状態の確認応答を受信すると、ステップＳ１６８にてフェムトＢＳ７の状態情報をアクティブ状態としてフェムトＢＳ管理テーブル６３に更新し、図１６に示す処理動作を終了する。【０２０２】
また、フェムトＧＷ１２は、第１接続有無判定部５４にて第２条件を満たさなかった場合（ステップＳ１６４否定）、又はアクティブ状態判定部５５にて第３条件を満たさなかった場合（ステップＳ１６５否定）、又は第２接続有無判定部５７にて第５条件を満たさなかった場合（ステップＳ１７０否定）、又はアイドル状態判定部５８にて第６条件を満たさなかった場合（ステップＳ１７１否定）、図１６に示す処理動作を終了する。【０２０３】
図１６に示すフェムトＧＷ１２側の送信制御処理では、ＭＳ２の位置登録確認を受信すると、位置登録データベース６２の内容を更新し、位置登録データベース６２の内容に基づき、第１条件、第２条件及び第３条件を満たした場合、フェムトＢＳ７に対して送信停止コマンドを送信するようにしたので、フェムトＢＳ７側では、無駄な送信電力の浪費や隣接セルへの与干渉を回避することができる。【０２０４】
フェムトＧＷ１２側の送信制御処理では、ＭＳ２の位置登録確認を受信すると、位置登録データベース６２の内容を更新し、位置登録データベース６２の内容に基づき、第４条件、第５条件及び第６条件を満たした場合、フェムトＢＳ７に対して送信再開コマンドを送信するようにしたので、フェムトＢＳ７側では、制御情報の無線送信を再開することができる。【０２０５】
次に、フェムトＧＷ１２から送信再開コマンドを受信した場合のフェムトＢＳ７の動作について説明する。図１７は、送信再開コマンド受信処理に関わるフェムトＢＳ７内部の処理動作を示すフローチャートである。【０２０６】
図１７に示すフェムトＢＳ７は、フェムトＧＷ１２からの送信再開コマンドを受信すると（ステップＳ１８１）、制御情報の無線送信を再開するアクティブ状態に移行し（ステップＳ１８２）、アクティブ状態を示す確認応答をフェムトＧＷ１２に送信する（ステップＳ１８３）。【０２０７】
フェムトＢＳ７は、アクティブ状態の確認応答をフェムトＧＷ１２に送信した場合、送信停止コマンドの受信待機状態のまま、図１７に示す処理動作を終了する。【０２０８】
図１７に示すフェムトＢＳ７側の送信再開コマンド受信処理では、フェムトＧＷ１２からの送信再開コマンドを受信すると、停止中の制御情報の無線送信を再開するアクティブ状態に移行するようにしたので、フェムトＢＳ７側では、制御情報の無線送信を再開することができる。【０２０９】
実施例１では、ＭＳ２の位置登録確認を受信すると、位置登録データベース６２の内容を更新し、位置登録データベース６２の内容に基づき、第１条件、第２条件及び第３条件を満たした場合、フェムトＢＳ７に対して送信停止コマンドを送信するようにしたので、フェムトＢＳ７側では、無駄な送信電力の浪費や隣接セルへの与干渉を回避することができる。【０２１０】
実施例１では、ＭＳ２の位置登録確認を受信すると、位置登録データベース６２の内容を更新し、位置登録データベース６２の内容に基づき、第４条件、第５条件及び第６条件を満たした場合、フェムトＢＳ７に対して送信再開コマンドを送信するようにしたので、フェムトＢＳ７側では、制御情報の無線送信を再開することができる。【０２１１】
尚、上記実施例１においては、ＭＳ２に対するＰＣ部５２をフェムトＧＷ１２内部に設け、フェムトＧＷ１２内のＰＣ部５２は、ＭＳ２の最新の位置情報を常時取得することで、フェムトＢＳ７のアクティブ／アイドル状態を管理できるようにしたが、常にフェムトＧＷ１２内部にＰＣ部５２を配置することはシステムの拡張性に欠ける。【０２１２】
そこで、ＰＣ部５２をフェムトＧＷ１２以外のＡＳＮ−ＧＷ１１内部に備えた場合の無線通信システム１Ａにつき、実施例２として以下に説明する。
【実施例２】
【０２１３】
図１８は、実施例２のフェムトＧＷ１２Ａ内部の概略構成を示すブロック図である。図１９は、実施例２のＡＳＮ−ＧＷ１１Ａ内部の概略構成を示すブロック図である。尚、実施例１の無線通信システム１と同一の構成については同一符号を付すことで、その重複する構成及び動作の構成については省略する。【０２１４】
図１８に示すフェムトＧＷ１２Ａ内部のフェムトＧＷ側制御部４５Ａは、呼出コントローラ機能を備えたＰＣ部５２を備えることなく、認証部５１、移動前判定部５３、第１接続有無判定部５４、アクティブ状態判定部５５、コマンド制御部５６、第２接続有無判定部５７及びアイドル状態判定部５８を備えている。【０２１５】
図１９に示すＡＳＮ−ＧＷ１１Ａは、ＢＳ３やフェムトＧＷ１２等のＡＳＮ４の内部装置に接続する通信インタフェースを司る第３通信インタフェース７１と、ＣＳＮ６との通信インタフェースを司る第４通信インタフェース７２と、様々な情報を記憶するＡＳＮ−ＧＷ側記憶部７３と、ＡＳＮ−ＧＷ１１Ａ全体を制御するＡＳＮ−ＧＷ側制御部７４とを有している。【０２１６】
ＡＳＮ−ＧＷ側制御部７４内部には、呼出コントローラ機能を備えたＰＣ部５２Ａを内蔵している。【０２１７】
また、ＡＡＡサーバ１３は、フェムトＢＳ７の新規設置契約時の情報に基づき、フェムトＢＳ７との接続を許可したＭＳ２に関わる識別情報と一緒に、ＭＳ２に接続するフェムトＢＳ７のＢＳＩＤ及びＡＳＮ−ＧＷ１１ＡのＰＣＩＤのリストを管理している。【０２１８】
次に、実施例２の無線通信システム１Ａの動作について説明する。図２０は、フェムトＢＳ７に対してＭＳ２が新規接続を開始する場合の無線通信システム１Ａ内部の処理動作を示すシーケンスである。【０２１９】
図２０に示すＭＳ２及びフェムトＢＳ７は、レンジングプロセスを通じて（ステップＳ１９１）、送信パラメータ（周波数、タイミング及び送信電力）を調整し、ＳＢＣをネゴシエーションする（ステップＳ１９２）。【０２２０】
ＭＳ２は、ＰＫＭプロトコルを使用し、ＭＳ２を認証するためのＥＡＰメッセージをフェムトＢＳ７に送信する（ステップＳ１９３）。尚、ＥＡＰメッセージには、ＭＳ２の認証を行うためのＭＳ２の識別情報等を含んでいる。【０２２１】
フェムトＢＳ７は、ＭＳ２の認証のためのＥＡＰメッセージを受信すると、ＥＡＰ転送プロトコルを使用して、ＭＳ２の識別情報の他に、自分のＢＳＩＤを含むＥＡＰメッセージをフェムトＧＷ１２Ａに転送する（ステップＳ１９４）。【０２２２】
フェムトＧＷ１２Ａ内部の認証部５１は、ＲＡＤＩＵＳプロトコル等を使用してフェムトＢＳ７から受信したＥＡＰメッセージをＡＡＡサーバ１３に転送する。【０２２３】
ＡＡＡサーバ１３は、フェムトＢＳ７及びＭＳ２の接続許可に関わる管理内容と、ＥＡＰメッセージに含まれるＭＳ２の識別情報及びフェムトＢＳ７のＢＳＩＤとに基づき、ＭＳ２とフェムトＢＳ７との接続を許可しているか否かを確認する接続認証を実行し、その接続認証結果をフェムトＧＷ１２Ａに送信する（ステップＳ１９５）。【０２２４】
フェムトＧＷ１２Ａは、ＡＡＡサーバ１３を通じてＭＳ２とフェムトＢＳ７との接続を許可している場合、ＥＡＰ転送プロトコルを使用して、認証成功のＥＡＰメッセージをフェムトＢＳ７に転送する（ステップＳ１９６）。【０２２５】
フェムトＢＳ７は、ステップＳ１９６にて認証成功のＥＡＰメッセージ（ＥＡＰ転送）を受信すると、認証成功のＭＳ２のＭＡＣアドレスをアクセスリスト３３に追加する（ステップＳ１９７）。【０２２６】
フェムトＢＳ７は、認証成功のＭＳ２のＭＡＣアドレスをアクセスリスト３３に追加すると、ＭＳ２の認証成功のＥＡＰメッセージをＭＳ２に送信する（ステップＳ１９８）。【０２２７】
フェムトＢＳ７は、ＭＳ２の認証成功のＥＡＰメッセージをＭＳ２に送信すると、登録動作を実行し（ステップＳ１９９）、ＭＳ２との通信を開始することになる（ステップＳ２００）。【０２２８】
また、フェムトＧＷ１２Ａは、ＡＡＡサーバ１３を通じてＭＳ２の認証失敗のＥＡＰメッセージを受信した場合、認証失敗をフェムトＢＳ７経由でＭＳ２に送信し、ＭＳ２に対して他のフェムトＢＳ７又は他のＢＳ３への再接続を促すことになる。【０２２９】
また、フェムトＢＳ７は、ＭＳ２のＭＡＣアドレスがアクセスリスト３３内にない場合、認証失敗をＭＳ２に送信し、このＭＳ２に対して他のフェムトＢＳ７又は他のＢＳ３への再接続を促すことになる。【０２３０】
次に、ＭＳ２がフェムトＢＳ７から他のＢＳ３への呼出グループ間移動に伴うハンドオーバー後にアイドルモードに移行する場合の動作について説明する。図２１は、フェムトＢＳ７から他のＢＳ３への呼出グループ間移動に伴うハンドオーバー後、アイドルモードに移行する際の無線通信システム１Ａ内部の処理動作を示すシーケンスである。【０２３１】
図２１に示すＭＳ２は、フェムトＢＳ７から移動先ＢＳ３へのハンドオーバー後（ステップＳ２１１）、アイドルモードに移行する場合、離脱要求メッセージを移動先ＢＳ３に送信する（ステップＳ２１２）。【０２３２】
移動先ＢＳ３は、離脱要求メッセージを受信すると、ＭＳ２がアイドルモードに移行する準備段階として、アイドル移行要求をＡＳＮ−ＧＷ１１Ａ内のＰＣ部５２Ａに送信する（ステップＳ２１３）。尚、アイドル移行要求は、送信元ＢＳ、すなわち移動先ＢＳを特定するためのＢＳＩＤ、ＡＳＮ−ＧＷ１１Ａ内部のＰＣ部５２を識別するＰＣＩＤ、ＭＳ２の情報（各種登録情報、セキュリティ情報、サービスフロー情報等）等を含むものである。【０２３３】
ＡＳＮ−ＧＷ１１Ａ内部のＰＣ部５２Ａは、ＭＳ２に関する必要な情報としてＰＧＩＤ、ＡＳＮ−ＧＷ１１Ａ内部のＰＣ部５２Ａを識別するＰＣＩＤ及び呼出周期等を管理しているため、アイドル移行要求を受信すると、アイドル移行要求をＡＡＡサーバ１３に送信する（ステップＳ２１４）。【０２３４】
ＡＡＡサーバ１３は、ＡＳＮ−ＧＷ１１Ａからのアイドル移行要求を受信すると、アイドル移行要求に含むＭＳ２の情報に基づき、管理中のＭＳ２に接続するフェムトＢＳ７及びフェムトＧＷ１２Ａに関わるＭＳ関連情報を取得し、これらＭＳ関連情報を含むアイドル移行要求応答をＡＳＮ−ＧＷ１１Ａに送信する（ステップＳ２１５）。【０２３５】
ＡＳＮ−ＧＷ１１Ａは、アイドル移行要求応答を受信すると、このアイドル移行要求応答を移動先ＢＳ３に送信する（ステップＳ２１６）。【０２３６】
移動先ＢＳ３は、ＡＳＮ−ＧＷ１１Ａからアイドル移行要求応答を受信すると、ＭＳ２からの離脱要求メッセージに対する、呼出周期を含む離脱コマンドメッセージをＭＳ２に送信する（ステップＳ２１７）。その結果、ＭＳ２は、離脱コマンドメッセージを受信すると、アイドルモードに移行することになる（ステップＳ２１８）。【０２３７】
また、ＡＳＮ−ＧＷ１１Ａは、ステップＳ２１５にてＡＡＡサーバ１３からアイドル移行要求応答を受信すると、このアイドル移行要求応答で取得したＭＳ２の情報からＭＳ２が接続可能なフェムトＢＳ７のフェムトＧＷ１２Ａを特定する。【０２３８】
ＡＳＮ−ＧＷ１１Ａは、フェムトＢＳ７のフェムトＧＷ１２Ａを特定すると、ＭＳ２の位置情報をフェムトＧＷ１２Ａに送信する（ステップＳ２１９）。尚、ＭＳ２の位置情報は、ＭＳ２が存在する呼出グループのＰＧＩＤと、ＭＳ２が配下となる移動先ＢＳ３のＢＳＩＤとを含む。【０２３９】
また、フェムトＧＷ１２Ａは、ＡＳＮ−ＧＷ１１Ａからの位置情報を受信すると、ＭＳ２の位置情報に基づき、ＭＳ２の位置情報を位置登録データベース６２に更新し（ステップＳ２２０）、ステップＳ２１９の位置情報に対する確認応答をＡＳＮ−ＧＷ１１Ａに送信する（ステップＳ２２０Ａ）。【０２４０】
さらに、フェムトＧＷ１２Ａは、ＡＳＮ−ＧＷ１１Ａに対する確認応答を送信すると、位置登録データベース６２の内容に基づき、フェムトＢＳ送信制御判定処理を実行する（ステップＳ２２１）。【０２４１】
フェムトＧＷ１２Ａ内部のコマンド制御部５６は、フェムトＢＳ送信制御判定処理を通じて、第１条件、第２条件及び第３条件を満たした場合、フェムトＢＳ７に対してアイドル状態、すなわち、制御情報の無線送信停止を指示すべく、送信停止コマンドをフェムトＢＳ７に送信する（ステップＳ２２２）。【０２４２】
フェムトＢＳ７は、フェムトＧＷ１２Ａからの送信停止コマンドを受信すると、制御情報の無線送信を停止するアイドル状態に移行することになる（ステップＳ２２３）。その結果、フェムトＢＳ７は、無駄な送信電力の浪費や隣接セルへの与干渉を回避することができる。【０２４３】
さらに、フェムトＢＳ７は、無線送信を停止するアイドル状態に移行すると、アイドル状態を示す確認応答をフェムトＧＷ１２Ａに送信する（ステップＳ２２４）。【０２４４】
フェムトＧＷ１２Ａは、フェムトＢＳ７からアイドル状態の確認応答を受信すると、フェムトＢＳ７の状態情報をアイドル状態としてフェムトＢＳ管理テーブル６３内に更新する。【０２４５】
次に、アイドルモード中のＭＳ２が他のＢＳ３からフェムトＢＳ７近傍のＢＳ３へ呼出グループ間移動した場合の動作について説明する。図２２は、他のＢＳ３からフェムトＢＳ７近傍のＢＳ３へ呼出グループ間移動に伴う無線通信システム１Ａ内部の処理動作を示すシーケンスである。【０２４６】
ＭＳ２が他のＢＳ３からフェムトＢＳ７近傍のＢＳ３へ移動した場合、ＭＳ２は、自己の位置登録更新動作を起動することになる。【０２４７】
図２２に示すＭＳ２は、位置登録更新動作を起動すると、ＰＣＩＤ及びＬＵフラグを含むレンジング要求メッセージ（位置登録用レンジング要求メッセージ）を移動先ＢＳ３に送信する（ステップＳ２３１）。【０２４８】
移動先ＢＳ３は、ＭＳ２からのレンジング要求メッセージを受信すると、レンジング要求メッセージに含むＰＣＩＤに基づき、ＰＧＩＤ及び、自分を識別するＢＳＩＤを含む位置登録要求をＡＳＮ−ＧＷ１１Ａに送信する（ステップＳ２３２）。【０２４９】
ＡＳＮ−ＧＷ１１Ａ内部のＰＣ部５２Ａは、移動先ＢＳ３からの位置登録要求を受信すると、移動先ＢＳ３側でＭＳ２からのレンジング要求メッセージの正当性を認証するＣＭＡＣの鍵情報を含むＭＳ２に関わるＭＳ関連情報（セキュリティ情報）を保有しているか否かを判定する。【０２５０】
また、ＡＳＮ−ＧＷ１１Ａ内部のＰＣ部５２Ａは、鍵情報を含むＭＳ関連情報を保有していない場合、鍵情報の転送を要求するテキスト要求（Ｃｏｎｔｅｘｔ−Ｒｅｑ）をＡＡＡサーバ１３に送信する（ステップＳ２３３）。【０２５１】
ＡＡＡサーバ１３は、テキスト要求を受信すると、ＭＳ２のレンジング要求メッセージの正当性を認証する鍵情報と一緒に、ＭＳ関連情報、すなわち、フェムトＢＳ７及びフェムトＧＷ１２Ａの情報を含むテキスト報告（Ｃｏｎｔｅｘｔ−Ｒｐｔ）をＡＳＮ−ＧＷ１１Ａ内部のＰＣ部５２Ａに送信する（ステップＳ２３４）。【０２５２】
ＡＳＮ−ＧＷ１１Ａ内部のＰＣ部５２Ａは、テキスト報告を受信すると、テキスト報告に含むＣＭＡＣの鍵情報を位置登録要求応答に格納し、この位置登録要求応答を移動先ＢＳ３に送信する（ステップＳ２３５）。【０２５３】
移動先ＢＳ３は、位置登録要求応答を受信すると、位置登録要求応答に含まれるＣＭＡＣの鍵情報に基づき、レンジング要求メッセージのＣＭＡＣを計算し、計算結果のＣＭＡＣと、レンジング要求メッセージに添付したＣＭＡＣとを比較し、レンジング要求メッセージの正当性を確認する。【０２５４】
移動先ＢＳ３は、ＣＭＡＣの比較結果に基づき、ＭＳ２からのレンジング要求メッセージの正当性を確認すると、レンジング要求メッセージに応答する、正当性確認を含むレンジング要求応答をＭＳ２に送信すると共に（ステップＳ２３６）、ステップＳ２３５の位置登録要求に対する位置登録確認をＡＳＮ−ＧＷ１１Ａ内部のＰＣ部５２Ａに送信する（ステップＳ２３７）。【０２５５】
ＡＳＮ−ＧＷ１１Ａ内部のＰＣ部５２Ａは、位置登録確認を受信すると、ステップＳ２３２にて先に受信した位置登録要求に含まれた移動先ＢＳ３のＢＳＩＤやＰＧＩＤに基づき、ＭＳ２の位置情報を更新登録する。【０２５６】
ＡＳＮ−ＧＷ１１Ａは、ステップＳ２３２の位置登録要求で取得したＭＳ２の情報からＭＳ２が接続可能なフェムトＢＳ７のフェムトＧＷ１２Ａを特定する。【０２５７】
ＡＳＮ−ＧＷ１１Ａは、フェムトＢＳ７のフェムトＧＷ１２Ａを特定すると、ＭＳ２の位置情報をフェムトＧＷ１２Ａに送信する（ステップＳ２３８）。尚、ＭＳ２の位置情報は、ＭＳ２が存在するＰＧＩＤと、ＭＳ２が配下となる移動先ＢＳ３又は移動先フェムトＢＳ７のＢＳＩＤとを含む。【０２５８】
フェムトＧＷ１２Ａは、ＡＳＮ−ＧＷ１１Ａからの位置情報を受信すると、ＭＳ２の位置情報に基づき、位置登録データベース６２の内容を更新すると共に（ステップＳ２３９）、位置情報に対する確認応答をＡＳＮ−ＧＷ１１Ａに送信する（ステップＳ２４０）。【０２５９】
そして、フェムトＧＷ１２Ａは、ＡＳＮ−ＧＷ１１Ａに対して確認応答を送信すると、位置登録データベース６２の内容に基づき、フェムトＢＳ送信制御判定処理を実行する（ステップＳ２４１）。【０２６０】
フェムトＧＷ１２Ａは、フェムトＢＳ送信制御判定処理を通じて、第４条件、第５条件及び第６条件を満たした場合、フェムトＢＳ７に対してアクティブ状態、すなわち、制御情報の無線送信再開を指示すべく、送信再開コマンドをフェムトＢＳ７に送信する（ステップＳ２４２）。【０２６１】
フェムトＢＳ７は、フェムトＧＷ１２Ａからの送信再開コマンドを受信すると、制御情報の無線送信を再開するアクティブ状態に移行することになる（ステップＳ２４２Ａ）。その結果、フェムトＢＳ７は、ＭＳ２に対する基地局としての基本動作を再開することになる。【０２６２】
さらに、フェムトＢＳ７は、無線送信を再開するアクティブ状態に移行すると、アクティブ状態を示す確認応答をフェムトＧＷ１２Ａに送信する（ステップＳ２４３）。【０２６３】
フェムトＧＷ１２Ａは、フェムトＢＳ７からアクティブ状態の確認応答を受信すると、フェムトＢＳ７のアクティブ状態を状態情報としてフェムトＢＳ管理テーブル６３内に更新する。【０２６４】
また、ＡＳＮ−ＧＷ１１Ａ内部のＰＣ部５２Ａは、ステップＳ２３２にてＢＳ３から位置登録要求を受信すると、ＣＭＡＣの鍵情報を含むＭＳ関連情報を保有している場合、ステップＳ２３５にてＣＭＡＣの鍵情報を含む位置登録要求応答を移動先ＢＳ３に送信する。【０２６５】
次に、移動先ＢＳ３からアイドル移行要求を受信した場合のＡＳＮ−ＧＷ１１Ａの動作について説明する。【０２６６】
ＭＳ２は、アイドルモードに移行する際、離脱要求メッセージを現在所属するＢＳ３に送信する。ＢＳ３は、離脱要求メッセージを受信した場合、ＭＳ２のアイドル移行要求をＡＳＮ−ＧＷ１１Ａ内のＰＣ部５２Ａに送信することになる。尚、アイドル移行要求には、送信元ＢＳを特定するためのＢＳＩＤ及びＭＳ２の情報（各種登録情報、セキュリティ情報、サービスフロー情報等）等を含む。【０２６７】
図２３は、アイドル移行要求受信処理に関わるＡＳＮ−ＧＷ１１Ａ内部の処理動作を示すフローチャートである。【０２６８】
図２３に示すＡＳＮ−ＧＷ１１Ａは、移動先ＢＳ３からアイドル移行要求を受信すると（ステップＳ２５１）、アイドル移行要求のＭＳ２に関わるＭＳ関連情報を保有しているか否かを判定する（ステップＳ２５２）。尚、ＭＳ関連情報は、ＭＳ２に接続可能なフェムトＢＳ７及びフェムトＧＷ１２Ａの情報の他に、ＣＭＡＣの鍵情報を含んでいるものとする。【０２６９】
ＡＳＮ−ＧＷ１１Ａは、ＭＳ２に関わるＭＳ関連情報を保有している場合（ステップＳ２５２肯定）、ＭＳ関連情報内のＣＭＡＣの鍵情報を含むアイドル移行要求応答を移動先ＢＳ３に送信する（ステップＳ２５３）。【０２７０】
ＡＳＮ−ＧＷ１１Ａは、保有している、または、後述するアイドル移行要求応答で取得したＭＳ関連情報からＭＳ２が接続可能なフェムトＢＳ７のフェムトＧＷ１２Ａを特定する。【０２７１】
ＡＳＮ−ＧＷ１１Ａは、フェムトＢＳ７のフェムトＧＷ１２Ａを特定すると、ＭＳ２の位置情報をフェムトＧＷ１２Ａに送信する（ステップＳ２５４）。尚、ＭＳ２の位置情報は、ＭＳ２が存在するＰＧＩＤ及びＢＳＩＤを含む。【０２７２】
ＡＳＮ−ＧＷ１１Ａは、位置情報に対するフェムトＧＷ１２Ａからの確認応答を受信すると（ステップＳ２５５）、図２３に示す処理動作を終了する。【０２７３】
また、ＡＳＮ−ＧＷ１１Ａは、ＭＳ２に関わるＭＳ関連情報を保有していない場合（ステップＳ２５２否定）、アイドル移行要求をＡＡＡサーバ１３に送信する（ステップＳ２５６）。【０２７４】
この結果、ＡＡＡサーバ１３は、アイドル移行要求を受信すると、アイドル移行要求に含むＭＳ２の情報に基づき、ＭＳ２に関わるＭＳ関連情報を取得し、取得したＭＳ関連情報を含むアイドル移行要求応答をＡＳＮ−ＧＷ１１Ａに送信する。【０２７５】
ＡＳＮ−ＧＷ１１Ａは、アイドル移行要求応答を受信すると（ステップＳ２５７）、このアイドル移行要求応答に含むＭＳ２に関わるＭＳ関連情報を取得し、このＭＳ２に関わるＭＳ関連情報を登録し（ステップＳ２５８）、アイドル移行要求応答をＢＳ３に送信すべく、ステップＳ２５３に移行する。【０２７６】
図２３に示すＡＳＮ−ＧＷ１１Ａ側のアイドル移行要求受信処理では、移動先ＢＳ３からアイドル移行要求を受信すると、ＭＳ２に関わるＭＳ関連情報を保有しているか否かを判定し、ＭＳ２に関わるＭＳ関連情報を保有している場合、ＭＳ関連情報内のＣＭＡＣの鍵情報を含むアイドル移行要求応答を移動先ＢＳ３に送信するようにしたので、ＡＳＮ−ＧＷ１１Ａ側で、ＭＳ２のレンジング要求メッセージの正当性を確認するＣＭＡＣの鍵情報を移動先ＢＳ３に提供することができる。【０２７７】
また、ＡＳＮ−ＧＷ１１Ａ側のアイドル移行要求受信処理では、移動先ＢＳ３からアイドル移行要求を受信すると、ＭＳ２に関わるＭＳ関連情報を保有しているか否かを判定し、ＭＳ２に関わるＭＳ関連情報を保有していない場合、ＡＡＡサーバ１３からＭＳ関連情報を取得し、この取得したＭＳ関連情報内のＣＭＡＣの鍵情報を含むアイドル移行要求応答を移動先ＢＳ３に送信するようにしたので、ＡＳＮ−ＧＷ１１Ａ側で、ＭＳ２のレンジング要求メッセージの正当性を確認するＣＭＡＣの鍵情報を移動先ＢＳ３に提供することができる。【０２７８】
次に、ＡＳＮ−ＧＷ１１Ａから位置情報を受信した場合のフェムトＧＷ１２Ａの動作について説明する。図２４は、位置情報受信に応じた送信停止処理に関わるフェムトＧＷ１２Ａ内部の処理動作を示すフローチャートである。【０２７９】
図２４に示すフェムトＧＷ１２Ａは、ＡＳＮ−ＧＷ１１ＡからＭＳ２の位置情報を受信すると（ステップＳ２６１）、位置情報に基づき、ＭＳ２の位置情報を位置登録データベース６２に更新すると共に（ステップＳ２６２）、位置情報に対する確認応答をＡＳＮ−ＧＷ１１Ａに送信する（ステップＳ２６３）。【０２８０】
そして、フェムトＧＷ１２Ａ内部の移動前判定部５３は、位置登録データベース６２の内容に基づき、位置登録更新のＭＳ２が移動先ＢＳ３に移動する前にフェムトＢＳ７又はフェムトＢＳ７近傍のＢＳ３配下に存在していた第１条件を満たしているか否かを判定する（ステップＳ２６４）。【０２８１】
フェムトＧＷ１２Ａ内部の第１接続有無判定部５４は、移動前判定部５３にて第１条件を満たしている場合（ステップＳ２６４肯定）、フェムトＢＳ７に接続可能な全ＭＳ２がフェムトＢＳ７及びフェムトＢＳ７と同一ＰＧＩＤに属するＢＳ３から離れている第２条件を満たしているか否かを判定する（ステップＳ２６５）。【０２８２】
フェムトＧＷ１２Ａ内部のアクティブ状態判定部５５は、第１接続有無判定部５４にて第２条件を満たしている場合（ステップＳ２６５肯定）、フェムトＢＳ７がアクティブ状態である第３条件を満たしているか否かを判定する（ステップＳ２６６）。【０２８３】
フェムトＧＷ１２Ａ内部のコマンド制御部５６は、アクティブ状態判定部５５にて第３条件を満たしている場合（ステップＳ２６６肯定）、フェムトＢＳ７に対してアイドル状態、すなわち、制御情報の無線送信停止を指示すべく、送信停止コマンドをフェムトＢＳ７に送信する（ステップＳ２６７）。【０２８４】
フェムトＧＷ１２Ａは、フェムトＢＳ７からの送信停止コマンドに対する確認応答、すなわち、アイドル状態の確認応答を受信すると（ステップＳ２６８）、フェムトＢＳ７の状態情報をアイドル状態としてフェムトＢＳ管理テーブル６３に更新することになる。【０２８５】
また、フェムトＧＷ１２Ａは、移動前判定部５３にて第１条件を満たしていない場合（ステップＳ２６４否定）、又は第１接続有無判定部５４にて第２条件を満たしていない場合（ステップＳ２６５否定）、又はアクティブ状態判定部５５にて第３条件を満たしていない場合（ステップＳ２６６否定）、図２４に示す処理動作を終了する。【０２８６】
図２４に示すフェムトＧＷ１２Ａ側の送信停止処理では、ＡＳＮ−ＧＷ１１Ａ経由でＭＳ２の位置情報を受信すると、位置登録データベース６２の内容を更新し、位置登録データベース６２の内容に基づき、第１条件、第２条件及び第３条件を満たした場合、フェムトＢＳ７に対して送信停止コマンドを送信するようにしたので、フェムトＢＳ７側では、無駄な送信電力の浪費や隣接セルへの与干渉を回避することができる。【０２８７】
また、ＭＳ２は、フェムトＢＳ７近傍のＢＳ３に移動した場合、ＰＣＩＤ及びＬＵフラグを含むレンジング要求メッセージを移動先ＢＳ３に送信する。そして、移動先ＢＳ３は、ＭＳ２からのレンジング要求メッセージを受信すると、ＰＧＩＤ及び、自分を識別するＢＳＩＤを含む位置登録要求をＡＳＮ−ＧＷ１１Ａに送信することになる。【０２８８】
そこで、移動先ＢＳ３から位置登録要求を受信した場合のＡＳＮ−ＧＷ１１Ａ内部の処理動作について説明する。図２５は、位置登録要求受信処理に関わるＡＳＮ−ＧＷ１１Ａ内部の処理動作を示すフローチャートである。【０２８９】
図２５においてＡＳＮ−ＧＷ１１Ａは、移動先ＢＳ３からＭＳ２の位置登録要求を受信すると（ステップＳ２７１）、ＭＳ２に関わるＭＳ関連情報を保有しているか否かを判定する（ステップＳ２７２）。【０２９０】
ＡＳＮ−ＧＷ１１Ａは、ＭＳ２に関わるＭＳ関連情報を保有している場合（ステップＳ２７２肯定）、位置登録要求に対する位置登録要求応答を移動先ＢＳ３に送信する（ステップＳ２７３）。【０２９１】
ＡＳＮ−ＧＷ１１Ａは、移動先ＢＳ３から位置登録要求応答に対する位置登録確認を受信すると（ステップＳ２７４）、ステップＳ２７１にて先に受信した位置登録要求に含まれる移動先ＢＳ２のＢＳＩＤやＰＧＩＤに基づき、ＭＳ２の位置登録更新を実行することで（ステップＳ２７５）、図２５に示す処理動作を終了する。【０２９２】
また、ＡＳＮ−ＧＷ１１Ａは、ステップＳ２７２にてＭＳ２に関わるＭＳ関連情報を保有している場合、位置登録要求で取得したＭＳ２の情報からＭＳ２が接続可能なフェムトＢＳ７のフェムトＧＷ１２を特定し、ＭＳ２の位置情報をフェムトＧＷ１２Ａに送信する（ステップＳ２７６）。【０２９３】
さらに、ＡＳＮ−ＧＷ１１Ａは、フェムトＧＷ１２Ａからの位置情報に対する確認応答を受信すると（ステップＳ２７７）、図２５に示す処理動作を終了する。【０２９４】
また、ＡＳＮ−ＧＷ１１Ａは、ＭＳ２に関わるＭＳ関連情報を保有していない場合（ステップＳ２７２否定）、ＭＳ２からのレンジング要求メッセージの正当性を確認するＣＭＡＣの鍵情報の転送を要求するテキスト要求をＡＡＡサーバ１３に送信する（ステップＳ２７８）。【０２９５】
ＡＳＮ−ＧＷ１１Ａは、ＭＳ２のＭＳ関連情報を含むテキスト報告をＡＡＡサーバ１３から受信すると（ステップＳ２７９）、テキスト報告に含まれるＭＳ関連情報を登録し（ステップＳ２８０）、レンジング要求メッセージの正当性を確認するＣＭＡＣの鍵情報を含む位置登録要求応答を移動先ＢＳに送信すべく、ステップＳ２７３に移行する。【０２９６】
図２５に示すＡＳＮ−ＧＷ１１Ａ側の位置登録要求受信処理では、移動先ＢＳ３からのＭＳ２の位置登録要求を受信すると、ＭＳ関連情報を保有しているか否かを判定し、ＭＳ関連情報を保有している場合、ＭＳ関連情報内のＣＭＡＣの鍵情報を含むアイドル移行要求応答を移動先ＢＳ３に送信するようにしたので、ＡＳＮ−ＧＷ１１Ａ側で、ＭＳ２のレンジング要求メッセージの正当性を確認するＣＭＡＣの鍵情報を移動先ＢＳ３に提供することができる。【０２９７】
また、ＡＳＮ−ＧＷ１１Ａ側の位置登録要求受信処理では、移動先ＢＳ３から位置登録要求を受信すると、ＭＳ関連情報を保有しているか否かを判定し、ＭＳ関連情報を保有していない場合、ＡＡＡサーバ１３からＭＳ関連情報を取得し、この取得したＭＳ関連情報内のＣＭＡＣの鍵情報を含む位置登録要求応答を移動先ＢＳ３に送信するようにしたので、ＡＳＮ−ＧＷ１１Ａ側で、ＭＳ２のレンジング要求メッセージの正当性を確認するＣＭＡＣの鍵情報を移動先ＢＳ３に提供することができる。【０２９８】
次に、ＡＳＮ−ＧＷ１１Ａから位置情報を受信した場合のフェムトＧＷ１２Ａ内部の処理動作について説明する。図２６は、位置情報受信に応じた送信制御処理に関わるフェムトＧＷ１２Ａ内部の処理動作を示すフローチャートである。【０２９９】
図２６においてフェムトＧＷ１２Ａは、ＡＳＮ−ＧＷ１１Ａから位置情報を受信すると（ステップＳ２９１）、位置情報に基づき、ＭＳ２の位置情報を位置登録データベース６２に更新する（ステップＳ２９２）。【０３００】
フェムトＧＷ１２Ａは、ＡＳＮ−ＧＷ１１Ａからの位置情報に対する確認応答をＡＳＮ−ＧＷ１１に送信する（ステップＳ２９３）。【０３０１】
フェムトＧＷ１２Ａ内部の移動前判定部５３は、位置登録データベース６２の内容に基づき、位置登録更新のＭＳ２が移動先ＢＳ３に移動する前にフェムトＢＳ７又はフェムトＢＳ７近傍のＢＳ３配下に存在していた第１条件を満たしているか否かを判定する（ステップＳ２９４）。【０３０２】
フェムトＧＷ１２Ａ内部の第１接続有無判定部５４は、移動前判定部５３にて第１条件を満たしている場合（ステップＳ２９４肯定）、フェムトＢＳ７に接続可能な全ＭＳ２がフェムトＢＳ７及びフェムトＢＳ７と同一ＰＧＩＤに属するＢＳ３から離れている第２条件を満たしているか否かを判定する（ステップＳ２９５）。【０３０３】
フェムトＧＷ１２Ａ内部のアクティブ状態判定部５５は、第１接続有無判定部５４にて第２条件を満たしている場合（ステップＳ２９５肯定）、フェムトＢＳ７がアクティブ状態である第３条件を満たしているか否かを判定する（ステップＳ２９６）。【０３０４】
フェムトＧＷ１２Ａ内部のコマンド制御部５６は、アクティブ状態判定部５５にて第３条件を満たしている場合（ステップＳ２９６肯定）、フェムトＢＳ７に対してアイドル状態、すなわち、制御情報の無線送信停止を指示すべく、送信停止コマンドをフェムトＢＳ７に送信する（ステップＳ２９７）。【０３０５】
フェムトＢＳ７は、フェムトＧＷ１２Ａからの送信停止コマンドを受信すると、制御情報の無線送信を停止するアイドル状態に移行することになる。その結果、フェムトＢＳ７は、ＭＳ２に対する基地局としての基本動作を停止することになる。【０３０６】
フェムトＧＷ１２Ａは、フェムトＢＳ７からのコマンドに対する確認応答を受信する（ステップＳ２９８）、例えば送信停止コマンドに対するアイドル状態を示す確認応答を受信すると、フェムトＢＳ７の状態情報をアイドル状態としてフェムトＢＳ管理テーブル６３内を更新することになる。【０３０７】
また、フェムトＧＷ１２Ａ内部の第２接続有無判定部５７は、移動前判定部５３にて第１条件を満たしていない場合（ステップＳ２９４否定）、位置登録更新のＭＳ２が移動先ＢＳ３配下に移動する前にフェムトＢＳ７及びフェムトＢＳ７近傍のＢＳ３配下に存在していなかった第４条件を満たしているものと判断し、現在のＭＳ２がフェムトＢＳ７又はフェムトＢＳ７と同一ＰＧＩＤに属するＢＳ３配下にいる第５条件を満たしているか否かを判定する（ステップＳ２９９）。【０３０８】
フェムトＧＷ１２Ａ内部のアイドル状態判定部５８は、第２接続有無判定部５７にて第５条件を満たしている場合（ステップＳ２９９肯定）、フェムトＢＳ７がアイドル状態である第６条件を満たしているかを判定する（ステップＳ３００）。【０３０９】
フェムトＧＷ１２Ａ内部のコマンド制御部５６は、アイドル状態判定部５８にて第６条件を満たしている場合（ステップＳ３００肯定）、フェムトＢＳ７に対してアクティブ状態、すなわち、制御情報の無線送信再開を指示すべく、送信再開コマンドをフェムトＢＳ７に送信し（ステップＳ３０１）、ステップＳ２９８に移行する。【０３１０】
フェムトＢＳ７は、フェムトＧＷ１２Ａからの送信再開コマンドを受信すると、制御情報の無線送信を再開するアクティブ状態に移行することになる。その結果、フェムトＢＳ７は、ＭＳ２に対する基地局としての基本動作を再開することになる。【０３１１】
そして、フェムトＧＷ１２Ａは、ステップＳ２９８にてフェムトＢＳ７から送信再開コマンドに対するアクティブ状態を示す確認応答を受信すると、フェムトＢＳ７の状態情報をアクティブ状態としてフェムトＢＳ管理テーブル６３内に更新することになる。【０３１２】
また、フェムトＧＷ１２Ａは、第１接続有無判定部５４にて第２条件を満たしていない場合（ステップＳ２９５否定）、又はアクティブ状態判定部５５にて第３条件を満たしていない場合（ステップＳ２９６否定）、又は第２接続有無判定部５７にて第５条件を満たしていない場合（ステップＳ２９９否定）、又はアイドル状態判定部５８にて第６条件を満たしていない場合（ステップＳ３００否定）、図２６に示す処理動作を終了する。【０３１３】
図２６に示すフェムトＧＷ１２Ａ側の送信制御処理では、ＡＳＮ−ＧＷ１１Ａ経由でＭＳ２の位置情報を受信すると、位置登録データベース６２の内容を更新し、位置登録データベース６２の内容に基づき、第１条件、第２条件及び第３条件を満たした場合、フェムトＢＳ７に対して送信停止コマンドを送信するようにしたので、フェムトＢＳ７側では、無駄な送信電力の浪費や隣接エリアへの与干渉を回避することができる。【０３１４】
フェムトＧＷ１２Ａ側の送信制御処理では、ＡＳＮ−ＧＷ１１Ａ経由でＭＳ２の位置情報を受信すると、位置登録データベース６２の内容を更新し、位置登録データベース６２の内容に基づき、第４条件、第５条件及び第６条件を満たした場合、フェムトＢＳ７に対して送信再開コマンドを送信するようにしたので、フェムトＢＳ７側では、制御情報の無線送信を再開することができる。【０３１５】
実施例２では、ＡＳＮ−ＧＷ１１Ａ内部にＰＣ部５２Ａを配置したとしても、ＡＳＮ−ＧＷ１１Ａ経由でＭＳ２の位置情報を受信すると、位置情報に基づき位置登録データベース６２の内容を更新し、位置登録データベース６２の内容に基づき、第１条件、第２条件及び第３条件を満たした場合、フェムトＢＳ７に対して送信停止コマンドを送信するようにしたので、フェムトＢＳ７側では、無駄な送信電力の浪費や隣接エリアへの与干渉を回避することができる。【０３１６】
実施例２では、ＡＳＮ−ＧＷ１１Ａ経由でＭＳ２の位置情報を受信すると、位置登録データベース６２の内容を更新し、位置登録データベース６２の内容に基づき、第４条件、第５条件及び第６条件を満たした場合、フェムトＢＳ７に対して送信再開コマンドを送信するようにしたので、フェムトＢＳ７側では、制御情報の無線送信を再開することができる。【０３１７】
尚、上記実施例２においては、ＡＳＮ−ＧＷ１１ＡがＭＳ関連情報、例えばＭＳ２に関わるフェムトＧＷ１２Ａ及びフェムトＢＳ７に関わる情報をＡＡＡサーバ１３に要求してＡＡＡサーバ１３からＭＳ関連情報を取得するようにした。これに対して、例えばＭＳ関連情報をＭＳ２自体に保有しておき、ＭＳ関連情報をレンジング要求メッセージに含めてＢＳ３及びＡＳＮ−ＧＷ１１Ａに送信するようにしても、同様の効果が得られることは言うまでもない。【０３１８】
また、上記実施例２においては、フェムトＧＷ１２ＡがフェムトＢＳ７の近傍ＢＳを近傍ＢＳリスト管理テーブル６１内に保持しておき、フェムトＧＷ１２ＡがＡＳＮ−ＧＷ１１ＡからＭＳ２の位置情報を取得し、フェムトＧＷ１２Ａ自体が、近傍ＢＳ及び位置情報に基づき、フェムトＢＳ送信制御判定処理を実行するようにした。これに対して、例えばＡＳＮ−ＧＷ１１ＡがフェムトＧＷ１２Ａに保持中のフェムトＢＳ７の近傍ＢＳを取得し、ＡＳＮ−ＧＷ１１Ａ自体が、このフェムトＢＳ７の近傍ＢＳ及びＭＳ２の位置情報に基づき、フェムトＢＳ送信制御判定処理を実行するようにしても、同様の効果が得られることは言うまでもない。【０３１９】
尚、上記実施例１及び２においては、アイドルモード中のＭＳ２を監視対象とし、フェムトＢＳ７のアクティブ状態／アイドル状態を制御する実施形態につき説明した。【０３２０】
次に、ＭＳ２がフェムトＢＳ７経由で通信中にフェムトＢＳ７から他のＢＳ２に移動するハンドオーバー時の実施態様につき、実施例３として以下に説明する。
【実施例３】
【０３２１】
尚、実施例１の無線通信システム１と同一の構成については同一符号を付すことで、その重複する構成及び動作の説明については省略する。図２７は、フェムトＢＳ７から他のＢＳ３へのハンドオーバーに伴う無線通信システム１Ｂ内部の処理動作を示すシーケンスである。【０３２２】
ＭＳ２は、フェムトＢＳ７からの無線信号の受信品質が一定閾値を下回った場合、フェムトＢＳ７から受信品質が良好な他のＢＳ３に接続を切り替えるハンドーバー（以下、単にＨＯと称する）を起動する。【０３２３】
ＭＳ２は、ＨＯ起動を検出すると、ＭＳＨＯ要求（ＭＯＢ  ＭＳＨＯ−ＲＥＱ）メッセージをフェムトＢＳ７に送信する（ステップＳ３１１）。尚、ＭＳ２は、定期的に、接続先のＢＳ３やフェムトＢＳ７（ターゲットＢＳ）を検出するために、ＭＳ２近傍のフェムトＢＳ７やＢＳ３に対して無線信号の受信品質を予め測定すべく、無線スキャン動作を実行している。【０３２４】
また、ＭＳＨＯ要求メッセージには、ターゲットＢＳを示すＢＳＩＤを含むものである。【０３２５】
フェムトＢＳ７は、ＭＳ２からのＭＳＨＯ要求メッセージを受信すると、ＭＳＨＯ要求メッセージに含む接続先ＢＳ３のＢＳＩＤに基づき、接続先ＢＳ３のリソースの空き状態等を確認するＨＯ要求（ＨＯ−Ｒｅｑ）をフェムトＧＷ１２（ステップＳ３１２）及びＡＳＮ−ＧＷ１１（ステップＳ３１３）経由で接続先ＢＳ３に送信する（ステップＳ３１４）。【０３２６】
接続先ＢＳ３は、ＨＯ要求を受信すると、ＭＳ２のコネクションの通信品質（Ｑｕａｌｉｔｙ  ｏｆ  Ｓｅｒｖｉｃｅ：以下、単にＱｏＳと称する）を保証するための帯域有無等を判断し、その判断結果を含めたＨＯ要求応答（ＨＯ−Ｒｓｐ）をＡＳＮ−ＧＷ１１（ステップＳ３１５）及びフェムトＧＷ１２（ステップＳ３１６）経由でフェムトＢＳ７に送信する（ステップＳ３１７）。【０３２７】
フェムトＢＳ７は、ＨＯ要求応答を受信すると、ＨＯ要求応答に含まれる情報を含むＭＳＨＯ要求応答（ＭＯＢ  ＢＳＨＯ−ＲＳＰ）メッセージをＭＳ２に送信する（ステップＳ３１８）。【０３２８】
また、フェムトＢＳ７は、ステップＳ３１７のＨＯ要求応答に対するＨＯ確認応答（ＨＯ−Ａｃｋ）をフェムトＧＷ１２（ステップＳ３１９）及びＡＳＮ−ＧＷ１１（ステップＳ３２０）経由でＢＳ３に送信する（ステップＳ３２１）。【０３２９】
また、ＭＳ２は、ステップＳ３１８のＭＳＨＯ要求応答メッセージを受信した場合、接続先ＢＳ３へのＨＯ実行を確定し、新しい接続先ＢＳ３のＢＳＩＤを含むＭＳＨＯ実行指示（ＭＯＢ  ＨＯ−ＩＮＤ）メッセージをフェムトＢＳ７に送信する（ステップＳ３２２）。【０３３０】
フェムトＢＳ７は、ＭＳＨＯ実行指示メッセージを受信すると、ＭＳ２がＨＯを開始するＨＯ確認通知（ＨＯ−Ｃｎｆ(Ｃｏｎｆｉｒｍ)）をフェムトＧＷ１２（ステップＳ３２３）及びＡＳＮ−ＧＷ１１（ステップＳ３２４）経由で新しい接続先ＢＳ３に送信する（ステップＳ３２５）。【０３３１】
さらに、フェムトＧＷ１２は、ステップＳ３２３のフェムトＢＳ７からのＨＯ確認通知を受信すると、ＨＯ確認通知に基づき、ＭＳ２の位置情報を位置登録データベース６２に更新し（ステップＳ３２６）、位置登録データベース６２の内容に基づき、フェムトＢＳ送信制御判定処理を実行する（ステップＳ３２７）。【０３３２】
フェムトＧＷ１２は、フェムトＢＳ送信制御判定処理を通じて、第１条件、第２条件及び第３条件を満たした場合、フェムトＢＳ７に対してアイドル状態、すなわち、制御情報の無線送信停止を指示すべく、送信停止コマンドをフェムトＢＳ７に送信する（ステップＳ３２８）。【０３３３】
尚、第１接続有無判定部５４にてフェムトＢＳ７に接続可能な全ＭＳ２がフェムトＢＳ７及びフェムトＢＳ７と同一ＰＧＩＤに属するＢＳ３から離れている第２条件を満たしているか否かの判断は、フェムトＧＷ１２がフェムトＢＳ７との間に設定するＭＳ通信用の全コネクションが他のＢＳ３に切り替わったか否か、すなわちコネクションの有無に基づき判断するようにしても良い。【０３３４】
フェムトＢＳ７は、ステップＳ３２８にてフェムトＧＷ１２からの送信停止コマンドを受信すると、制御情報の無線送信を停止するアイドル状態に移行することになる（ステップＳ３２９）。その結果、フェムトＢＳ７は、無駄な送信電力の浪費や隣接セルへの与干渉を回避することができる。【０３３５】
さらに、フェムトＢＳ７は、ステップＳ３２９にて無線送信を停止するアイドル状態に移行すると、アイドル状態を示す確認応答をフェムトＧＷ１２に送信する（ステップＳ３３０）。この結果、フェムトＧＷ１２は、アイドル状態の確認応答を受信すると、フェムトＢＳ７の状態情報をアイドル状態としてフェムトＢＳ管理テーブル６３に更新することになる。【０３３６】
さらに、移動先ＢＳ３は、ステップＳ３２５にてフェムトＧＷ１２及びＡＳＮ−ＧＷ１１経由でフェムトＢＳ７からのＨＯ確認通知を受信すると、ＨＯ確認通知に対するＨＯ確認応答をＡＳＮ−ＧＷ１１（ステップＳ３３１）及びフェムトＧＷ１２（ステップＳ３３２）経由でフェムトＢＳ７に送信する（ステップＳ３３３）。【０３３７】
そして、ＭＳ２は、フェムトＢＳ７から移動先ＢＳ３へ完全移動したことで（ステップＳ３３４）、移動先ＢＳ３に収容接続することになる。【０３３８】
尚、フェムトＧＷ１２では、ＭＳ通信用のコネクションの有無に基づき、フェムトＢＳ７配下のＭＳ２の不在を検知する方法について説明したが、例えばフェムトＢＳ７自身がコネクションの有無を検知し、このコネクション有無に基づき、自律的にアイドル状態へ移行、又はフェムトＧＷ１２に対してアイドル状態への移行を要求するようにしても良いことは言うまでもない。【０３３９】
図２８は、他のＢＳ３からフェムトＢＳ７への呼出グループ間移動に関わるハンドオーバーに伴う無線通信システム１Ｂ内部の処理動作を示すシーケンスである。【０３４０】
ＭＳ２は、ＢＳ３からの無線信号の受信品質が一定閾値を下回った場合、ＢＳ３から受信品質が良好なフェムトＢＳ７に接続を切り替えるＨＯを起動する。【０３４１】
ＭＳ２は、ＨＯ起動を検出すると、ＭＳＨＯ要求メッセージをＢＳ３に送信する（ステップＳ３４１）。【０３４２】
ＢＳ３は、ＭＳ２からのＭＳＨＯ要求メッセージを受信すると、ＭＳＨＯ要求メッセージに含む接続先フェムトＢＳ７のＢＳＩＤに基づき、接続先フェムトＢＳ７のリソースの空き状態等を確認するＨＯ要求をＡＳＮ−ＧＷ１１（ステップＳ３４２）及びフェムトＧＷ１２（ステップＳ３４３）経由で接続先フェムトＢＳ７に送信する（ステップＳ３４４）。【０３４３】
フェムトＢＳ７は、ＨＯ要求を受信すると、ＭＳ２のコネクションのＱｏＳを保証するための帯域有無等を判断し、その判断結果を含めたＨＯ要求応答をフェムトＧＷ１２（ステップＳ３４５）及びＡＳＮ−ＧＷ１１（ステップＳ３４６）経由でＢＳ３に送信する（ステップＳ３４７）。【０３４４】
ＢＳ３は、ＨＯ要求応答を受信すると、ＨＯ要求応答に含まれる情報を含むＭＳＨＯ要求応答メッセージをＭＳ２に送信すると共に（ステップＳ３４８）、ＨＯ要求応答に対するＨＯ確認応答をＡＳＮ−ＧＷ１１（ステップＳ３４９）及びフェムトＧＷ１２（ステップＳ３５０）経由でフェムトＢＳ７に送信する（ステップＳ３５１）。【０３４５】
また、ＭＳ２は、ステップＳ３４８にてＢＳ３からＭＳＨＯ要求応答メッセージを受信した場合、接続先フェムトＢＳ７へのＨＯ実行を確定し、新しい接続先フェムトＢＳ７のＢＳＩＤを含むＭＳＨＯ実行指示メッセージをＢＳ３に送信する（ステップＳ３５２）。【０３４６】
ＢＳ３は、ＭＳＨＯ実行指示メッセージを受信すると、ＭＳ２がＨＯを開始するＨＯ確認通知をＡＳＮ−ＧＷ１１（ステップＳ３５３）及びフェムトＧＷ１２（ステップＳ３５４）経由で新しい接続先フェムトＢＳ７に送信する（ステップＳ３５５）。【０３４７】
また、フェムトＧＷ１２は、ステップＳ３５４にてＢＳ３からのＨＯ確認通知を受信すると、ＨＯ確認通知に基づき、ＭＳ２の位置情報を位置登録データベース６２に更新し（ステップＳ３５６）、フェムトＢＳ送信制御判定処理を実行する（ステップＳ３５７）。【０３４８】
フェムトＧＷ１２は、フェムトＢＳ送信制御判定処理を通じて、第４条件、第５条件及び第６条件を満たした場合、フェムトＢＳ７に対してアクティブ状態、すなわち、制御情報の無線送信再開を指示すべく、送信再開コマンドをフェムトＢＳ７に送信する（ステップＳ３５８）。【０３４９】
フェムトＢＳ７は、フェムトＧＷ１２からの送信再開コマンドを受信すると、制御情報の無線送信を再開するアクティブ状態に移行することになる（ステップＳ３５９）。その結果、フェムトＢＳ７は、無線送信を再開することができる。【０３５０】
さらに、フェムトＢＳ７は、無線送信を再開するアクティブ状態に移行すると、アクティブ状態を示す確認応答をフェムトＧＷ１２に送信する（ステップＳ３６０）。【０３５１】
フェムトＧＷ１２は、フェムトＢＳ７からアクティブ状態の確認応答を受信すると、フェムトＢＳ７の状態情報をアクティブ状態としてフェムトＢＳ管理テーブル６３内に更新することになる。【０３５２】
さらに、フェムトＢＳ７は、フェムトＧＷ１２（ステップＳ３６１）及びＡＳＮ−ＧＷ１１（ステップＳ３６２）経由で、ＨＯ確認通知に対するＨＯ確認応答をＢＳ３に送信する（ステップＳ３６３）。【０３５３】
尚、図２８では、ＢＳ３からフェムトＢＳ７へのハンドオーバー時に、フェムトＢＳ７の状態をアイドル状態からアクティブ状態に移行するシーケンスについて説明したが、ＭＳ２が他のＢＳ３の無線信号の受信品質を測定するスキャン測定時に、フェムトＢＳ７の状態をアイドル状態からアクティブ状態に移行させるようにしても良いことは言うまでもない。【０３５４】
また、図２７及び図２８に示すように、ＭＳ２のＨＯ起動に応じてＨＯ確認通知を受信した場合のフェムトＧＷ１２側の送信制御処理について説明する。図２９は、ＨＯ確認通知受信に応じた送信制御処理に関わるフェムトＧＷ１２内部の処理動作を示すフローチャートである。【０３５５】
図２９においてフェムトＧＷ１２は、ＡＳＮ−ＧＷ１１又はフェムトＢＳ７からＨＯ確認通知を受信する（ステップＳ３７１）。フェムトＧＷ１２は、ステップＳ３７１にてフェムトＢＳ７からのＨＯ確認通知を受信した場合、ＨＯ確認通知をＡＳＮ−ＧＷ１１経由でＢＳ３に転送する（ステップＳ３７２）。【０３５６】
また、フェムトＧＷ１２は、ステップＳ３７１にてＡＳＮ−ＧＷ１１からＨＯ確認通知を受信した場合、ステップＳ３７２にてＨＯ確認通知をフェムトＢＳ７に転送する。【０３５７】
フェムトＧＷ１２内部の移動前判定部５３は、ＨＯ確認通知を転送すると、管理するＭＳ２のコネクション情報に基づき、ＨＯのＭＳ２が移動先ＢＳ３配下に移動する前にフェムトＢＳ７又はフェムトＢＳ７近傍のＢＳ配下に存在していた第１条件を満たしているか否かを判定する（ステップＳ３７３）。【０３５８】
フェムトＧＷ１２内部の第１接続有無判定部５４は、移動前判定部５３にて第１条件を満たしている場合（ステップＳ３７３肯定）、フェムトＢＳ７に接続可能な全ＭＳ２がフェムトＢＳ７及びフェムトＢＳ７と同一ＰＧＩＤに属するＢＳ３から離れている第２条件を満たしているか否かを判定する（ステップＳ３７４）。【０３５９】
フェムトＧＷ１２内部のアクティブ状態判定部５５は、第１接続有無判定部５４にて第２条件を満たしている場合（ステップＳ３７４肯定）、フェムトＢＳ７がアクティブ状態である第３条件を満たしているか否かを判定する（ステップＳ３７５）。【０３６０】
フェムトＧＷ１２内部のコマンド制御部５６は、アクティブ状態判定部５５にて第３条件を満たしている場合、フェムトＢＳ７に対してアイドル状態、すなわち、制御情報の無線送信停止を指示すべく、送信停止コマンドをフェムトＢＳ７に送信する（ステップＳ３７６）。【０３６１】
フェムトＢＳ７は、フェムトＧＷ１２からの送信停止コマンドを受信すると、制御情報の無線送信を停止するアイドル状態に移行することになる。その結果、フェムトＢＳ７は、無駄な送信電力の浪費や隣接セルへの与干渉を回避することができる。【０３６２】
さらに、フェムトＧＷ１２は、フェムトＢＳ７からのコマンドに対する確認応答、例えば送信停止コマンドに対するアイドル状態の確認応答を受信すると（ステップＳ３７７）、フェムトＢＳ７の状態情報をアイドル状態としてフェムトＢＳ管理テーブル６３内を更新し、図２９に示す処理動作を終了する。【０３６３】
また、フェムトＧＷ１２内部の第２接続有無判定部５７は、移動前判定部５３にて第１条件を満たしていない場合（ステップＳ３７３否定）、位置登録更新のＭＳ２が移動先ＢＳ３配下に移動する前にフェムトＢＳ７又はフェムトＢＳ７近傍のＢＳ３配下に存在しなかった第４条件を満たしたものと判断し、現在のＭＳ２がフェムトＢＳ７又はフェムトＢＳ７と同一ＰＧＩＤに属するＢＳ３に存在する第５条件を満たしているか否かを判定する（ステップＳ３７８）。【０３６４】
フェムトＧＷ１２内部のアイドル状態判定部５８は、第５条件を満たしている場合（ステップＳ３７８肯定）、フェムトＢＳ７がアイドル状態である第６条件を満たしているか否かを判定する（ステップＳ３７９）。【０３６５】
フェムトＧＷ１２内部のコマンド制御部５６は、アイドル状態判定部５８にて第６条件を満たしている場合（ステップＳ３７９肯定）、フェムトＢＳ７に対してアクティブ状態、すなわち、制御情報の無線送信再開を指示すべく、送信再開コマンドをフェムトＢＳ７に送信し（ステップＳ３８０）、ステップＳ３７７に移行する。【０３６６】
フェムトＢＳ７は、フェムトＧＷ１２からの送信再開コマンドを受信すると、制御情報の無線送信を再開するアクティブ状態に移行することになる。その結果、フェムトＢＳ７は、ＭＳ２に対する基地局としての基本動作を再開することになる。【０３６７】
そして、フェムトＧＷ１２は、ステップＳ３８０にて送信再開コマンドに対するアクティブ状態の確認応答を受信すると、フェムトＢＳ７の状態情報をアクティブ状態としてフェムトＢＳ管理テーブル６３内に更新することになる。【０３６８】
また、フェムトＧＷ１２は、第１接続有無判定部５４にて第２条件を満たしていない場合（ステップＳ３７４否定）、又はアクティブ状態判定部５５にて第３条件を満たしていない場合（ステップＳ３７５否定）、又は第２接続有無判定部５７にて第５条件を満たしていない場合（ステップＳ３７８否定）、又はアイドル状態判定部５８にて第６条件を満たしていない場合（ステップＳ３７９否定）、図２９に示す処理動作を終了する。【０３６９】
図２９に示すフェムトＧＷ１２側の送信制御処理では、ＭＳ２のＨＯ確認通知を受信すると、位置登録データベース６２の内容を更新し、位置登録データベース６２の内容に基づき、第１条件、第２条件及び第３条件を満たした場合、フェムトＢＳ７に対して送信停止コマンドを送信するようにしたので、フェムトＢＳ７側では、無駄な送信電力の浪費や隣接セルへの与干渉を回避することができる。【０３７０】
フェムトＧＷ１２側の送信制御処理では、ＭＳ２のＨＯ確認通知を受信すると、位置登録データベース６２の内容を更新し、位置登録データベース６２の内容に基づき、第４条件、第５条件及び第６条件を満たした場合、フェムトＢＳ７に対して送信再開コマンドを送信するようにしたので、フェムトＢＳ７側では、制御情報の無線送信を再開することができる。【０３７１】
実施例３では、ＭＳ２のハンドオーバー時にＭＳ２のＨＯ確認通知を受信すると、位置登録データベース６２の内容を更新し、位置登録データベース６２の内容に基づき、第１条件、第２条件及び第３条件を満たした場合、フェムトＢＳ７に対して送信停止コマンドを送信するようにしたので、フェムトＢＳ７側では、無駄な送信電力の浪費や隣接セルへの与干渉を回避することができる。【０３７２】
実施例３では、ＭＳ２のハンドオーバー時にＭＳ２のＨＯ確認通知を受信すると、位置登録データベース６２の内容を更新し、位置登録データベース６２の内容に基づき、第４条件、第５条件及び第６条件を満たした場合、フェムトＢＳ７に対して送信再開コマンドを送信するようにしたので、フェムトＢＳ７側では、制御情報の無線送信を再開することができる。【０３７３】
尚、上記実施例１乃至３では、移動前判定部５３にて第１条件を満たし、かつ、第１接続有無判定部５４にて第２条件を満たし、かつ、アクティブ状態判定部５５にて第３条件を満たした場合にフェムトＢＳ７に送信停止コマンドを送信するようにしたが、第１条件及び第３条件を満たさなくても、第２条件を満たした場合、送信停止コマンドを送信するようにしても良い。また、送信停止コマンドを受信したフェムトＢＳ７は、送信再開コマンドを受信するまで、完全に制御情報の無線送信を止めるのではなく、間欠的に制御情報の無線送信するようにしても良い。【０３７４】
また、上記実施例１乃至３では、移動前判定部５３にて第４条件を満たし、かつ、第２接続有無判定部５７にて第５条件を満たし、かつ、アイドル状態判定部５８にて第６条件を満たした場合にフェムトＢＳ７に送信再開コマンドを送信するようにしたが、第４条件及び第６条件を満たさなくても、第５条件を満たした場合、送信再開コマンドを送信するようにしても良い。【０３７５】
以上、本発明の実施例について説明したが、本実施例によって本発明の技術的思想の範囲が限定されるものではなく、特許請求の範囲に記載した技術的思想の範囲を逸脱しない限り、各種様々な実施例が実施可能であることは言うまでもない。また、本実施例に記載した効果は、これに限定されるものではない。【０３７６】
また、本実施例で説明した各種処理の内、自動的に行われるものとして説明した処理の全部又は一部を手動で行うことも可能であることは勿論のこと、その逆に、手動で行われるものとして説明した処理の全部又は一部を自動で行うことも可能であることは言うまでもない。また、本実施例で説明した処理手順、制御手順、具体的名称、各種データやパラメータを含む情報についても、特記した場合を除き、適宜変更可能であることは言うまでもない。【０３７７】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。【０３７８】
さらに、各装置で行われる各種処理機能は、ＣＰＵ（Ｃｅｎｔｒａｌ  Ｐｒｏｃｅｓｓｉｎｇ  Ｕｎｉｔ）（又はＭＰＵ（Ｍｉｃｒｏ  Ｐｒｏｃｅｓｓｉｎｇ  Ｕｎｉｔ）、ＭＣＵ（Ｍｉｃｒｏ  Ｃｏｎｔｒｏｌｌｅｒ  Ｕｎｉｔ）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【図１】
2009150750.tif 000003
【図２】
2009150750.tif 000004
【図３】
2009150750.tif 000005
【図４】
2009150750.tif 000006
【図５】
2009150750.tif 000007
【図６】
2009150750.tif 000008
【図７】
2009150750.tif 000009
【図８】
2009150750.tif 000010
【図９】
2009150750.tif 000011
【図１０】
2009150750.tif 000012
【図１１】
2009150750.tif 000013
【図１２】
2009150750.tif 000014
【図１３】
2009150750.tif 000015
【図１４】
2009150750.tif 000016
【図１５】
2009150750.tif 000017
【図１６】
2009150750.tif 000018
【図１７】
2009150750.tif 000019
【図１８】
2009150750.tif 000020
【図１９】
2009150750.tif 000021
【図２０】
2009150750.tif 000022
【図２１】
2009150750.tif 000023
【図２２】
2009150750.tif 000024
【図２３】
2009150750.tif 000025
【図２４】
2009150750.tif 000026
【図２５】
2009150750.tif 000027
【図２６】
2009150750.tif 000028
【図２７】
2009150750.tif 000029
【図２８】
2009150750.tif 000030
【図２９】
2009150750.tif 000031
【図３０】
2009150750.tif 000032
【図３１】
2009150750.tif 000033
【国際調査報告】
2009150750.tif 000034
2009150750.tif 000035
2009150750.tif 000036
2009150750.tif 000037